(57)【特許請求の範囲】
【請求項１】
実行予定がある作業であって、１以上の画面を用いてそれぞれ行なわれる１以上の各作業を指定するための情報である１以上の作業指定情報を受け付ける作業指定受付部と、
実行予定がある作業に関する情報である作業登録情報が格納される作業登録情報格納部と、
前記作業指定受付部が受け付けた各作業指定情報に応じて作業登録情報を取得し、取得した作業登録情報を前記作業登録情報格納部に蓄積する作業登録情報蓄積部と、
作業登録情報を出力する指示である出力指示を受け付ける出力指示受付部と、
前記出力指示に応じて、前記作業登録情報格納部に格納されている１以上の作業登録情報を示す情報を出力する作業出力部とを備え、
前記作業登録情報蓄積部は、
前記作業指定受付部が受け付けた作業指定情報が指定する作業に用いられる画面である作業画面を指定する情報である画面指定情報を取得し、取得した画面指定情報を有する作業登録情報を前記作業登録情報格納部に蓄積し、
前記作業出力部は、
前記出力指示に応じて、前記作業登録情報格納部の１以上の作業登録情報を示す情報を出力し、
前記作業出力部が出力した作業登録情報を示す情報のうちの、一の作業登録情報を示す情報を指定する指示である作業指示を受け付ける作業指示受付部と、
前記作業指示受付部が受け付けた作業指示により指定される作業登録情報が有する画面指定情報が指定する作業画面を出力する作業画面出力部とをさらに備えた情報処理装置。
【請求項２】
前記作業出力部は、
前記出力指示に応じて、前記作業登録情報格納部の１以上の作業登録情報を識別する情報である１以上の作業識別子のうちの１以上を有する画面である作業リスト画面を出力し、
前記作業指示受付部は、
前記作業リスト画面が有する１以上の作業識別子のうちの、一の作業識別子を指定する作業指示を受け付け、
前記作業画面出力部は、前記作業指示受付部が受け付けた作業指示により指定される作業識別子が示す作業登録情報が有する画面指定情報が指定する作業画面を出力する請求項１記載の情報処理装置。
【請求項３】
前記作業指定情報は、
作業についての条件である作業条件を有し、
前記作業登録情報蓄積部は、
前記作業条件に応じた１以上の作業登録情報を蓄積する請求項１または請求項２記載の情報処理装置。
【請求項４】
前記作業指定情報は、作業についての条件である作業条件として、日付を指定する条件を有し、
前記作業登録情報蓄積部は、
前記日付を指定する条件が示す日付を有する作業画面を出力するための情報を有する１以上の作業登録情報を蓄積する請求項１または請求項２記載の情報処理装置。
【請求項５】
実行予定がある作業であって、１以上の画面を用いてそれぞれ行なわれる１以上の各作業を指定するための情報である１以上の作業指定情報を受け付ける作業指定受付部と、
実行予定がある作業に関する情報である作業登録情報が格納される作業登録情報格納部と、
前記作業指定受付部が受け付けた各作業指定情報に応じて作業登録情報を取得し、取得した作業登録情報を前記作業登録情報格納部に蓄積する作業登録情報蓄積部と、
作業登録情報を出力する指示である出力指示を受け付ける出力指示受付部と、
前記出力指示に応じて、前記作業登録情報格納部に格納されている１以上の作業登録情報を示す情報を出力する作業出力部とを備えた情報処理装置であって、
前記情報処理装置は、第一のアプリケーションソフトウェアの機能として実現され、
前記作業登録情報蓄積部は、前記第一のアプリケーションソフトウェアを用いて行なわれる作業に関する作業登録情報である第一の作業登録情報を、前記作業登録情報格納部に蓄積し、
前記作業出力部は、前記出力指示に応じて、前記作業登録情報格納部に格納された第一の作業登録情報を示す情報に対して、第二のアプリケーションソフトウェアを用いて行なわれる作業に関する作業登録情報である第二の作業登録情報を示す情報を、視覚的に区別可能となるよう出力する情報処理装置。
【請求項６】
前記情報処理装置は、
第一のアプリケーションソフトウェアの機能として実現され、
前記作業登録情報蓄積部は、
前記第一のアプリケーションソフトウェアを用いて行なわれる作業に関する作業登録情報である第一の作業登録情報を、前記作業登録情報格納部に蓄積し、
前記作業出力部は、
前記出力指示に応じて、前記作業登録情報格納部に格納された第一の作業登録情報を示す情報と、第二のアプリケーションソフトウェアを用いて行なわれる作業に関する作業登録情報である第二の作業登録情報を示す情報とを出力し、
前記作業画面出力部は、
前記作業指示受付部が受け付けた作業指示により指定された作業登録情報が第二の作業登録情報である場合に、第二のアプリケーションソフトウェアを実行させて、当該第二の作業登録情報が有する画面指定情報が指定する作業画面を出力させる請求項１または請求項２記載の情報処理装置。
【請求項７】
前記作業登録情報の１以上は、動的に複数の作業画面を取得するための作業登録情報であり、
前記作業出力部は、
前記動的に複数の作業画面を取得するための作業登録情報を示す情報を、動的に取得して出力する請求項１から請求項６いずれか一項記載の情報処理装置。
【請求項８】
作業指定受付部と、実行予定がある作業に関する情報である作業登録情報が格納される作業登録情報格納部と、作業登録情報蓄積部と、出力指示受付部と、作業出力部と、作業指示受付部と、作業画面出力部とを用いて行なわれる情報処理方法であって、
前記作業指定受付部が、実行予定がある作業であって、１以上の画面を用いてそれぞれ行なわれる１以上の各作業を指定するための情報である１以上の作業指定情報を受け付ける作業指定受付ステップと、
前記作業登録情報蓄積部が、前記作業指定受付ステップで受け付けた各作業指定情報に応じて作業登録情報を取得し、取得した作業登録情報を前記作業登録情報格納部に蓄積する作業登録情報蓄積ステップと、
前記出力指示受付部が、作業登録情報を出力する指示である出力指示を受け付ける出力指示受付ステップと、
前記作業出力部が、前記出力指示に応じて、前記作業登録情報格納部に格納されている１以上の作業登録情報を示す情報を出力する作業出力ステップとを備え、
前記作業登録情報蓄積ステップは、
前記作業指定受付ステップで受け付けた作業指定情報が指定する作業に用いられる画面である作業画面を指定する情報である画面指定情報を取得し、取得した画面指定情報を有する作業登録情報を前記作業登録情報格納部に蓄積し、
前記作業出力ステップは、
前記出力指示に応じて、前記作業登録情報格納部の１以上の作業登録情報を示す情報を出力し、
前記作業指示受付部が、前記作業出力ステップで出力した作業登録情報を示す情報のうちの、一の作業登録情報を示す情報を指定する指示である作業指示を受け付ける作業指示受付ステップと、
前記作業画面出力部が、前記作業指示受付ステップで受け付けた作業指示により指定される作業登録情報が有する画面指定情報が指定する作業画面を出力する作業画面出力ステップとをさらに備えた情報処理方法。
【請求項９】
作業指定受付部と、実行予定がある作業に関する情報である作業登録情報が格納される作業登録情報格納部と、作業登録情報蓄積部と、出力指示受付部と、作業出力部とを備えた情報処理装置であって、第一のアプリケーションソフトウェアの機能として実現される情報処理装置を用いて行なわれる情報処理方法であって、
前記作業指定受付部が、実行予定がある作業であって、１以上の画面を用いてそれぞれ行なわれる１以上の各作業を指定するための情報である１以上の作業指定情報を受け付ける作業指定受付ステップと、
前記作業登録情報蓄積部が、前記作業指定受付ステップで受け付けた各作業指定情報に応じて作業登録情報を取得し、取得した作業登録情報を前記作業登録情報格納部に蓄積する作業登録情報蓄積ステップと、
前記出力指示受付部が、作業登録情報を出力する指示である出力指示を受け付ける出力指示受付ステップと、
前記作業出力部が、前記出力指示に応じて、前記作業登録情報格納部に格納されている１以上の作業登録情報を示す情報を出力する作業出力ステップとを備え、
前記作業登録情報蓄積ステップは、前記第一のアプリケーションソフトウェアを用いて行なわれる作業に関する作業登録情報である第一の作業登録情報を、前記作業登録情報格納部に蓄積し、
前記作業出力ステップは、前記出力指示に応じて、前記作業登録情報格納部に格納された第一の作業登録情報を示す情報に対して、第二のアプリケーションソフトウェアを用いて行なわれる作業に関する作業登録情報である第二の作業登録情報を示す情報を、視覚的に区別可能となるよう出力する情報処理方法。
【請求項１０】
実行予定がある作業に関する情報である作業登録情報が格納される作業登録情報格納部にアクセス可能なコンピュータを、
実行予定がある作業であって、１以上の画面を用いてそれぞれ行なわれる１以上の各作業を指定するための情報である１以上の作業指定情報を受け付ける作業指定受付部と、
前記作業指定受付部が受け付けた各作業指定情報に応じて作業登録情報を取得し、取得した作業登録情報を前記作業登録情報格納部に蓄積する作業登録情報蓄積部と、
作業登録情報を出力する指示である出力指示を受け付ける出力指示受付部と、
前記出力指示に応じて、前記作業登録情報格納部に格納されている１以上の作業登録情報を示す情報を出力する作業出力部として機能させ、前記作業登録情報蓄積部は、
前記作業指定受付部が受け付けた作業指定情報が指定する作業に用いられる画面である作業画面を指定する情報である画面指定情報を取得し、取得した画面指定情報を有する作業登録情報を前記作業登録情報格納部に蓄積し、
前記作業出力部は、
前記出力指示の受け付けに応じて、前記作業登録情報格納部の１以上の作業登録情報を示す情報を出力し、
コンピュータを、更に、
前記作業出力部が出力した作業登録情報を示す情報のうちの、一の作業登録情報が示す情報を指定する指示である作業指示を受け付ける作業指示受付部と、
前記作業指示受付部が受け付けた作業指示により指定される作業登録情報が有する画面指定情報が指定する作業画面を出力する作業画面出力部として機能させるプログラム。
【請求項１１】
実行予定がある作業に関する情報である作業登録情報が格納される作業登録情報格納部にアクセス可能なコンピュータを、
実行予定がある作業であって、１以上の画面を用いてそれぞれ行なわれる１以上の各作業を指定するための情報である１以上の作業指定情報を受け付ける作業指定受付部と、
前記作業指定受付部が受け付けた各作業指定情報に応じて作業登録情報を取得し、取得した作業登録情報を前記作業登録情報格納部に蓄積する作業登録情報蓄積部と、
作業登録情報を出力する指示である出力指示を受け付ける出力指示受付部と、
前記出力指示に応じて、前記作業登録情報格納部に格納されている１以上の作業登録情報を示す情報を出力する作業出力部として機能させるプログラムであって、
前記プログラムは、第一のアプリケーションソフトウェアであって、
前記作業登録情報蓄積部は、前記第一のアプリケーションソフトウェアを用いて行なわれる作業に関する作業登録情報である第一の作業登録情報を、前記作業登録情報格納部に蓄積し、
前記作業出力部は、前記出力指示に応じて、前記作業登録情報格納部に格納された第一の作業登録情報を示す情報に対して、第二のアプリケーションソフトウェアを用いて行なわれる作業に関する作業登録情報である第二の作業登録情報を示す情報を、視覚的に区別可能となるよう出力するプログラム。
【請求項１２】
前記プログラムは、第一のアプリケーションソフトウェアであって、
前記作業登録情報蓄積部は、前記第一のアプリケーションソフトウェアを用いて行なわれる作業に関する作業登録情報である第一の作業登録情報を、前記作業登録情報格納部に蓄積し、
前記作業出力部は、
前記出力指示に応じて、前記作業登録情報格納部に格納された第一の作業登録情報を示す情報と、第二のアプリケーションソフトウェアを用いて行なわれる作業に関する作業登録情報である第二の作業登録情報を示す情報とを出力し、
前記作業画面出力部は、
前記作業指示受付部が受け付けた作業指示により指定される作業登録情報が第二の作業登録情報である場合に、第二のアプリケーションソフトウェアを実行させて、作業識別子が示す第二の作業登録情報が有する画面指定情報が指定する作業画面を出力させる請求項１０記載のプログラム。
【発明の詳細な説明】
【技術分野】
【０００１】
本発明は、作業を登録することが可能な情報処理装置等に関するものである。
【背景技術】
【０００２】
従来の情報処理装置としては、オペレータにより入力された伝票入力データを記憶するものが知られていた（例えば、特許文献１参照）。
【先行技術文献】
【特許文献】
【０００３】
【特許文献１】特開２００６−２２７６９４号（第１頁、第１図等）
【発明の概要】
【発明が解決しようとする課題】
【０００４】
しかしながら、従来の情報処理装置等においては、ユーザが画面を用いて行なう予定の作業を登録し、登録した作業を一括して見ることができない、という課題があった。
【課題を解決するための手段】
【０００５】
本発明の情報処理装置は、実行予定がある作業であって、１以上の画面を用いてそれぞれ行なわれる１以上の各作業を指定するための情報である１以上の作業指定情報を受け付ける作業指定受付部と、実行予定がある作業に関する情報である作業登録情報が格納される作業登録情報格納部と、作業指定受付部が受け付けた各作業指定情報に応じて作業登録情報を取得し、取得した作業登録情報を作業登録情報格納部に蓄積する作業登録情報蓄積部と、作業登録情報を出力する指示である出力指示を受け付ける出力指示受付部と、出力指示に応じて、作業登録情報格納部に格納されている１以上の作業登録情報を示す情報を出力する作業出力部とを備えた情報処理装置である。
【０００６】
かかる構成により、ユーザが画面を用いて行なう予定の作業を登録し、登録した作業を一括して見ることができ、例えば、実行予定の作業を確認することができる。
【０００７】
また、本発明の情報処理装置は、前記情報処理装置において、作業登録情報蓄積部は、作業指定受付部が受け付けた作業指定情報が指定する作業に用いられる画面である作業画面を指定する情報である画面指定情報を取得し、取得した画面指定情報を有する作業登録情報を作業登録情報格納部に蓄積し、作業出力部は、出力指示に応じて、作業登録情報格納部の１以上の作業登録情報を示す情報を出力し、作業出力部が出力した作業登録情報を示す情報のうちの、一の作業登録情報を指定する指示である作業指示を受け付ける作業指示受付部と、作業指示受付部が受け付けた作業指示により指定される作業登録情報が有する画面指定情報が指定する作業画面を出力する作業画面出力部とをさらに備えた情報処理装置である。
【０００８】
かかる構成により、出力された作業登録情報を示す情報を指定することにより、画面指定情報が指定する作業画面にジャンプすることができ、画面指定情報を用いた適切な作業支援を行なうことができる。
【０００９】
また、本発明の情報処理装置は、前記情報処理装置において、作業出力部は、出力指示に応じて、前記作業登録情報格納部の１以上の作業登録情報を識別する情報である１以上の作業識別子のうちの１以上を有する画面である作業リスト画面を出力し、作業指示受付部は、作業リスト画面が有する１以上の作業識別子のうちの、一の作業識別子を指定する作業指示を受け付け、作業画面出力部は、作業指示受付部が受け付けた作業指示により指定される作業識別子が示す作業登録情報が有する画面指定情報が指定する作業画面を出力する情報処理装置である。
【００１０】
かかる構成により、作業が一括表示される作業リスト画面から、画面指定情報が指定する作業画面にジャンプすることができ、画面指定情報を用いた適切な作業支援を行なうことができる。
【００１１】
また、本発明の情報処理装置は、前記情報処理装置において、作業指定情報は、作業についての条件である作業条件を有し、作業登録情報蓄積部は、作業条件に応じた１以上の作業登録情報を蓄積する情報処理装置である。
【００１２】
かかる構成により、条件に適合した適切な作業登録情報を蓄積することができる。
【００１３】
また、本発明の情報処理装置は、前記情報処理装置において、作業指定情報は、作業についての条件である作業条件として、日付を指定する条件を有し、作業登録情報蓄積部は、日付を指定する条件が示す日付を有する作業画面を出力するための情報を有する１以上の作業登録情報を蓄積する情報処理装置である。
【００１４】
かかる構成により、適切な日付の作業画面を出力するための作業登録情報を蓄積することができる。
【００１５】
また、本発明の情報処理装置は、前記情報処理装置において、情報処理装置は、第一のアプリケーションソフトウェアの機能として実現され、作業登録情報蓄積部は、第一のアプリケーションソフトウェアを用いて行なわれる作業に関する作業登録情報である第一の作業登録情報を、作業登録情報格納部に蓄積し、作業出力部は、出力指示に応じて、作業登録情報格納部に格納された第一の作業登録情報と、第二のアプリケーションソフトウェアを用いて行なわれる作業に関する作業登録情報である第二の作業登録情報とをそれぞれ示す情報を出力する情報処理装置である。
【００１６】
かかる構成により、第一のアプリケーションソフトウェアと第二のアプリケーションソフトウェアとについての作業登録情報を示す情報を出力することができる。これにより、例えば、異なるアプリケーションソフトウェアの作業登録情報を示す情報を一覧することができる。
【００１７】
また、本発明の情報処理装置は、前記情報処理装置において、作業出力部は、第一の作業登録情報を示す情報と、第二の作業登録情報を示す情報とを、視覚的に区別可能となるよう出力する情報処理装置である。
【００１８】
かかる構成により、表示された作業登録情報を示す情報が、第一のアプリケーションソフトウェアと第二のアプリケーションソフトウェアとのいずれについての作業登録情報を示す情報であるかを視覚的に判別することができる。
【００１９】
また、本発明の情報処理装置は、前記情報処理装置において、情報処理装置は、第一のアプリケーションソフトウェアの機能として実現され、作業登録情報蓄積部は、第一のアプリケーションソフトウェアを用いて行なわれる作業に関する作業登録情報である第一の作業登録情報を、作業登録情報格納部に蓄積し、作業出力部は、出力指示に応じて、作業登録情報格納部に格納された第一の作業登録情報を示す情報と、第二のアプリケーションソフトウェアを用いて行なわれる作業に関する作業登録情報である第二の作業登録情報を示す情報とを出力し、作業画面出力部は、作業指示受付部が受け付けた作業指示により指定された作業登録情報が第二の作業登録情報である場合に、第二のアプリケーションソフトウェアを実行させて、作業識別子が示す第二の作業登録情報が有する画面指定情報が指定する作業画面を出力させる情報処理装置である。
【００２０】
かかる構成により、第二のアプリケーションソフトウェアについての作業登録情報を示す作業識別子が指定された場合、第二のアプリケーションソフトウェアを実行させて第二のアプリケーションソフトウェアに作業画面を出力させることができる。
【００２１】
また、本発明の情報処理装置は、前記情報処理装置において、作業登録情報の１以上は、動的に複数の作業画面を取得するための作業登録情報であり、作業出力部は、動的に複数の作業画面を取得するための作業登録情報を示す情報を、動的に取得して出力する情報処理装置である。
【００２２】
かかる構成により、作業登録情報を動的に取得することができる。
【発明の効果】
【００２３】
本発明による情報処理装置等によれば、ユーザが画面を用いて行なう予定の作業を登録し、登録した作業を一括して見ることができる。
【図面の簡単な説明】
【００２４】
【図１】本発明の実施の形態１における情報処理装置のブロック図
【図２】同情報処理装置の動作について説明するフローチャート
【図３】同情報処理装置の画面の出力例を示す図
【図４】同情報処理装置の画面の出力例を示す図
【図５】同情報処理装置の画面の出力例を示す図
【図６】同情報処理装置の画面の出力例を示す図
【図７】同情報処理装置の作業登録情報管理表の一例を示す図
【図８】同情報処理装置の画面の出力例を示す図
【図９】同情報処理装置の画面の出力例を示す図
【図１０】同情報処理装置の画面の出力例を示す図
【図１１】本発明の実施の形態２における情報処理装置のブロック図
【図１２】同情報処理装置の動作について説明するフローチャート
【図１３】同情報処理装置の第二作業登録情報管理表を示す図
【図１４】同情報処理装置１の画面の出力例を示す図
【図１５】本発明の各実施の形態におけるコンピュータシステムの外観の一例を示す図
【図１６】同コンピュータシステムの構成の一例を示す図
【発明を実施するための形態】
【００２５】
以下、情報処理装置等の実施形態について図面を参照して説明する。なお、実施の形態において同じ符号を付した構成要素は同様の動作を行うので、再度の説明を省略する場合がある。
【００２６】
（実施の形態）
図１は、本実施の形態における情報処理装置１のブロック図である。
【００２７】
情報処理装置１は、作業指定受付部１０１、作業登録情報格納部１０２、作業登録情報蓄積部１０３、出力指示受付部１０４、作業出力部１０５、作業指示受付部１０６、作業画面出力部１０７を備える。
【００２８】
作業指定受付部１０１は、１または２以上の作業指定情報を受け付ける。１または２以上の作業指定情報は、１または２以上の画面を用いてそれぞれ行なわれる１以上の各作業を指定するための情報である。ここでの作業は、実行予定がある作業である。２以上の作業指定情報は、異なる２以上の画面をそれぞれ用いて行なわれる作業を指定する情報であることが好ましい。ここでの作業は、１以上のユーザが行なう作業であり、例えば、情報処理装置１を用いて行なわれる作業である。ここでの一の作業は、一連の複数の作業等の一の作業群であってもよい。ここでの一のユーザは、一個人であっても良く、企業や、企業内の部署や、グループ等の一の団体であっても良い。ここでの作業は、例えば、企業や団体等の法人において行なわれる財務や経理、人事、在庫管理等に関連した作業等である。ここでの作業は、例えば、財務や経理、会計に関連した帳票にデータを入力する作業や、帳票に入力されたデータを確認する作業や、データをクエリ等を用いて読み出す作業等である。帳票は、例えば、伝票や帳簿である。ただし、ここでの帳票は、電子化された帳票である。実行予定がある作業とは、１以上のユーザが今後実行しようと考えている作業や、今後実行しなければならない作業である。
【００２９】
ここでの画面とは、ユーザが一の作業を行なう際に利用する画面であり、例えば、後述する作業画面に相当する。画面は、例えば、メニュー画面や入力画面や処理結果を出力する画面である。いわゆるウインドウや、ダイアログ等を一の画面と考えてもよい。異なる画面とは、例えば、種類が異なる画面であり、具体的には、この画面を利用して作成する帳票の種類が異なる画面や、入力可能なデータの種類や組合わせが異なる入力画面や、表示されるデータの種類や組合わせが異なる画面である。なお、例えば、入力されているデータ以外が同じである画面は、入力されているデータが異なっていても同じ画面であると考えてよく、入力されているデータが異なっていれば、異なる画面であると考えてもよい。例えば、異なるテンプレートを用いて作成された画面は、異なる画面と考えるようにしてもよい。また、同じテンプレートを用いて作成された画面は、同じ画面と考えても良く、同じテンプレートを用いて作成された画面であっても、配置されているデータの少なくとも一部が異なれば、異なる画面であると考えるようにしてもよい。また、外観等が異なっていても、入力可能なデータが同じであれば、同じ画面と考えるようにしてもよい。ここでの各画面は、入力フィールドや、ボタン等のユーザによる入力を受け付けるためのオブジェクト等を有していても良い。異なる２以上の画面を用いてそれぞれ行なわれる２以上の各作業は、例えば、互いに異なる作業である。
【００３０】
作業指定情報は、上記のような実行予定がある作業であって、画面を用いて行なわれる作業を結果的に指定することが可能な情報であればどのような情報であっても良い。作業指定情報は、例えば、実行予定がある作業において利用される１以上のアプリケーションソフトウェア等が実行する処理を指定する情報を有する情報である。ここでの処理は、例えば、１以上の画面の出力を伴う処理である。ここでの処理は、一の処理であっても良く、一連の複数の処理等の処理群であっても良い。処理を指定する情報は、例えば、アプリケーションソフトウェアが実行する処理を指定するための、処理名等の処理の識別子である。また、処理を指定する情報は、例えば、処理を行なうための命令や指示等を有する情報であってもよい。
【００３１】
作業指定情報は、例えば、実行予定がある作業に用いられる画面を指定する情報を有する情報である。ここでは、作業に用いられる画面を作業画面と呼ぶ。作業画面は、例えば、作業に用いられる入力画面や出力画面等である。作業画面を指定する情報（以下、画面指定情報と称す）は、例えば、作業画面の識別子等の作業画面を特定することが可能な情報であってもよい。また、画面指定情報は、作業画面にジャンプするために利用可能な情報であり、例えば、、図示しない格納部等に格納されている作業画面の情報に対するリンク情報や、アドレス情報であってもよい。画面指定情報は、作業画面を出力するために用いられる図示しない格納部等に格納されているテンプレート等を指定する情報であってもよい。テンプレートは、例えば、情報処理装置１の専用の形式のデータであっても良く、ＸＭＬ形式のデータや、ＸＭＬ形式のデータとＣＳＳ等のスタイルシートのデータとの組であってもよい。画面指定情報は、作業画面の識別子と考えてもよい。画面指定情報は、作業画面として出力される画像情報や、作業画面として出力される電子文書等を指定する情報等であっても良い。
【００３２】
なお、実行予定がある１以上の作業が１以上の画面を出力するアプリケーションソフトウェアを実行させることによって行なわれる場合等においては、各作業指定情報は、作業において用いられる１以上の画面を出力するアプリケーションソフトウェアの識別子や、作業において用いられる処理を実行するアプリケーションソフトウェアの識別子を有していても良い。アプリケーションソフトウェアの識別子については後述する。
【００３３】
作業指定情報は、実行予定がある作業についての条件である作業条件を有していても良い。この作業条件は、例えば、作業を特定するための条件である。作業を特定する条件とは、例えば、日付等を指定する条件や、作業を行なう１以上のユーザを特定する条件（例えば、作業を行なうユーザのユーザ識別子や、作業を行なうユーザ群のグループ識別子等）や、作業において利用するデータ群（例えばデータベース）や、作業により作成した情報の蓄積先を指定する条件等である。ここでの日付は、複数の日付や期間等も含む概念であるとする。ここでの日付は、例えば、作業の開始日や、作業を行なう期日であっても良い。日付を指定する条件は、特定の日付を指定する情報であっても良く、「毎月１０日」や、「４０日後」等の、特定しようとする日付を示すルール等の情報であっても良い。
【００３４】
作業条件は、作業において用いられる設定値や入力値等であってもよい。この設定値は、例えば、作業に用いられるデータを取得するための、検索範囲等を指定するクエリ等の情報や、データの単位や処理方法等を指定する情報等である。また、作業に用いられる設定値や入力値等は、例えば、作業により作成する帳票等に予め入力されることが決まっている科目名等の１以上の情報である。
【００３５】
また、作業指定情報は、作業指定情報の入力を行なうユーザのユーザ識別子等を有していてもよい。ユーザ識別子は、例えば、ユーザ名や、ユーザの社員番号や、ユーザに割り当てられた文字列や、ユーザのメールアドレス等である。なお、ユーザ識別子は、上述した作業条件の一つと考えてもよい。
【００３６】
また、作業指定情報は、この作業指定情報に応じて取得される後述する作業登録情報の識別子である作業識別子や、作業識別子を作成するために用いられるルールを指定する情報等を有していても良い。作業識別子については後述する。
【００３７】
作業指定受付部１０１が、どのように作業指定情報を受け付けるかは問わない。作業指定受付部１０１は、例えば、ユーザによる操作に応じて作業指定情報を受け付ける。例えば、作業指定受付部１０１は、キーボードやマウス等の図示しない入力デバイス等を介してユーザから入力される作業指定情報を受け付ける。また、作業指定受付部１０１は、後述する作業画面出力部１０７が、一の作業画面を出力している状態において、予め指定された作業指定情報を作成する操作を受け付けた場合に、この作業画面を用いて行なう作業を指定する作業指定情報を受け付けても良い。例えば、作業指定受付部１０１は、出力している作業画面の画面指定情報を取得し、この画面指定情報を有する作業指定情報を受け付けても良い。また、作業指定受付部１０１は、情報処理装置１を利用しているユーザや、上記のような作業画面を出力させているユーザや、作業指定情報を入力するユーザのユーザ識別子を更に有する作業指定情報を受け付けても良い。
【００３８】
ここでの、受け付けとは、キーボードやマウス、タッチパネルなどの入力デバイスから入力された情報の受け付け、有線もしくは無線の通信回線を介して送信された情報の受信、アプリケーションソフトウェア間で受け渡しされる情報の受け付けなどを含む概念である。ここでの入力手段は、マウスやタッチパネルやメニュー画面によるもの等、何でも良い。作業指定受付部１０１は、マウスやタッチパネル等の入力手段のデバイスドライバーや、メニュー画面の制御ソフトウェア等で実現され得る。
【００３９】
作業登録情報格納部１０２には、実行予定がある作業に関する情報である作業登録情報が格納される。作業登録情報は、例えば、実行予定がある作業に用いられる作業画面を出力するための情報である。作業登録情報は、例えば、実行予定がある作業に用いられる作業画面を出力するための情報を有する情報である。作業画面を出力するための情報とは、以下に述べる画面指定情報や、１以上の画面の出力を伴うタスクや処理を指定する情報である。
【００４０】
例えば、作業登録情報は、実行予定がある作業において用いられる作業画面を指定する１または２以上の画面指定情報を有している情報である。作業登録情報は、このような画面指定情報により指定される作業画面を出力する際に用いられる条件である実行条件を更に有していても良い。実行条件は、具体的には、作業画面を作成するために用いられる条件であり、後述する作業画面出力部１０７は、例えば、この実行条件を満たす作業画面を出力することとなる。実行条件は、例えば、作業画面についての詳細な出力設定や、作業画面に加えられる１以上の変更を指定する情報や、作業画面に予め入力される情報や、作業画面に入力されるデータを取得するためのクエリ等である。実行条件は、例えば、作業画面に配置されるデータを検索するための検索期間を示す情報（即ち条件）である。
【００４１】
作業登録情報は、実行予定がある作業を行なうために実行される、１以上の画面の出力を伴う１または２以上のタスクや処理を指定する情報を有していても良い。画面の出力を伴うということは、画面を出力する処理を含むことと考えてもよい。タスクとは、例えば、情報処理装置１等が自動実行する処理である。ただし、タスクは、ユーザからの入力受付け等の処理を含んでいても良い。作業登録情報は、更に、１以上のタスクや処理を情報処理装置１の図示しない処理部等に実行させるための１以上の命令や、これらを実行させるために用いられる条件を有していても良い。このような条件も実行条件と考えてもよい。
【００４２】
一の作業登録情報は、例えば、特定の一の作業画面を出力するための情報を有するものであっても良く、複数の作業画面を動的に取得して出力するための情報を有するものであっても良い。この場合の複数の作業画面は、例えば、それぞれ異なる時期に出力される複数の作業画面である。例えば、この場合の複数の作業画面は、一定または不定の周期や、予め指定されたトリガー等に応じて、繰り返し作成され出力される作業画面である。動的に取得して出力とは、動的に異なる条件で作業画面を取得し出力することである。動的に取得とは、例えば、作業画面を出力する時点や、画面を出力するユーザや、画面を出力するトリガー等に応じて、出力される作業画面が作成されることである。動的に取得される各作業画面は、出力する時点や、ユーザ等に応じて、配置されるデータ等が異なる作業画面であってもよい。複数の画面を動的に取得して出力するための作業登録情報は、例えば、基準となる作業画面と、この基準となる作業画面を動的に更新するために用いられる実行条件等の条件とを有する情報や、作業画面のテンプレートを指定する画面指定情報と、このテンプレートを動的に更新するために用いられる実行条件等の条件とを有する情報である。例えば、複数の画面を動的に取得して出力するための作業登録情報は、変数を有するテンプレート等を指定する画面指定情報や、変数を有する実行条件等を有する作業登録情報である。この変数は、例えば、動的に決定される値、例えば、現在の日付や、現在の月や、先月の値が入力される変数である。基準となる作業画面を動的に更新するために用いられる実行条件等の条件は、例えば、基準となる作業画面の１以上のデータを置換するために用いられるデータを作成するための条件や、基準となる作業画面に追記されるデータを作成するための条件である。テンプレートを動的に更新するために用いられる条件についても同様である。例えば、作業登録情報は、請求書のテンプレートを指定する画面指定情報と、このテンプレートに記入される日付を、作業画面が出力される日付を含む月の末日に設定する条件や、作業画面に配置されるデータを取得するためのクエリであって、検索対象となる期間を、作業画面が出力される日付を含む月の初日から末日までの範囲に設定するクエリ等を有する情報であっても良い。
【００４３】
一の作業登録情報は、例えば、画面の出力を伴う複数のタスクまたは処理を、動的に実行するための情報を有するものであっても良い。この場合の複数のタスクまたは処理は、例えば、それぞれ異なる時期に実行される複数のタスクまたは処理である。例えば、この場合の複数のタスクまたは処理は、一定または不定の周期や、予め指定されたトリガー等に応じて、繰り返し実行されるタスクまたは処理である。動的に実行することは、例えば、動的に異なる条件で実行することである。動的に異なる条件とは、例えば、タスクや処理を実行する時点やタスクを実行するユーザやタスクを実行するトリガー等に応じて決定され条件である。複数のタスクまたは処理を動的に実行するための情報は、例えば、タスクや処理を指定する情報と、このタスクや処理を動的に実行する際に用いられる条件とを有する情報である。ここでの条件は、実行時に設定されるパラメータや引数等も含む概念である。タスクや処理を動的に実行するために利用される条件とは、例えば、タスクや処理の実行すべき期間や期日等を動的に決定するための条件や、タスクや処理を実行する際に用いられる設定値を動的に決定するための条件である。例えば、作業登録情報は、ある元帳を確認するための画面を出力するタスクを指定する情報と、タスクにおいて利用される元帳の日付を、タスクを実行する日付を含む月の前の月に設定する条件とを有する情報である。
【００４４】
また、作業登録情報は、上述した１以上の作業条件を有していても良い。例えば、作業指定情報に応じて取得される作業登録情報は、この作業指定情報が有する作業条件の１以上を有していても良い。また、作業登録情報は、上記で述べた情報の２以上の組合わせを有していてもよい。
【００４５】
作業登録情報は、例えば、この作業登録情報を識別する情報である作業識別子と対応付けて、作業登録情報格納部１０２に格納される。作業識別子は、例えば、対応付けられた作業登録情報に対応するタスクや処理や作業画面を利用して行なわれる作業を識別可能な情報と考えてもよい。作業識別子は、例えば文字列の情報である。作業識別子は、例えば、作業の名称や、作業に利用される作業画面の名称等を有する識別子である。作業識別子は、作業において実行されるタスク名や処理名等を有する情報であっても良い。作業識別子は、ユーザが、どのような作業であるかを判断可能な識別子であることが好ましい。作業識別子は、上述した作業条件の日付や期間の情報と同様の、日付や期間の情報を含んでいても良い。作業識別子は、作業登録情報に対応付けられて作業登録情報格納部１０２に格納される２以上の情報を組み合わせた情報であっても良い。作業登録情報に対応付けられた情報は、作業登録情報が有する情報も含む概念である。例えば、作業識別子は、作業登録情報と対応付けられたタスク名と、タスクを利用した作業の期日を示す情報とを組み合わせた情報であっても良い。また、作業識別子は、作業登録情報と対応付けられた作業画面の識別子と、この作業画面を利用した作業の期日や、この作業登録情報の作成日等を組み合わせた情報であっても良い。作業登録情報が、作業識別子と対応付けて格納されるということは、例えば、作業登録情報と、作業識別子との組が、作業登録情報格納部１０２に格納されることであっても良く、作業識別子を有する作業登録情報が作業登録情報格納部１０２に格納されることであっても良い。
【００４６】
また、作業登録情報は、この作業登録情報を作成する操作を行なったユーザのユーザ識別子と対応付けて、作業登録情報格納部１０２に格納されるようにしてもよい。作業登録情報と、ユーザ識別子との対応付けは、作業登録情報と、作業識別子の対応付けと同様である。
【００４７】
作業登録情報格納部１０２は、不揮発性の記録媒体が好適であるが、揮発性の記録媒体でも実現可能である。かかることは、他の格納部についても同様である。
【００４８】
作業登録情報蓄積部１０３は、作業指定受付部１０１が受け付けた各作業指定情報に応じて作業登録情報を取得し、取得した作業登録情報を作業登録情報格納部１０２に蓄積する。例えば、作業登録情報蓄積部１０３は、作業指定受付部１０１が受け付けた作業指定情報が指定する作業に用いられる画面である作業画面を指定する画面指定情報を取得し、取得した画面指定情報を有する作業登録情報を作業登録情報格納部１０２に蓄積する。例えば、作業指定受付部１０１が受け付けた作業指定情報が画面指定情報を有する場合、作業登録情報蓄積部１０３は、作業指定情報が有する画面指定情報を取得し、取得した画面指定情報を有する作業登録情報を取得する。また、作業指定情報が、タスクや処理を指定する情報を有する場合、このタスクや処理で利用される作業画面の画面指定情報を、タスクや処理を実行するための情報等から取得するようにしてもよい。
【００４９】
作業登録情報蓄積部１０３は、例えば、作業指定情報が有する作業条件に応じた作業登録情報を取得して蓄積する。作業登録情報蓄積部１０３は、例えば、作業指定情報が有する一または二以上の作業条件に合致する作業登録情報を取得し、取得した作業登録情報を蓄積する。
【００５０】
例えば、作業登録情報蓄積部１０３は、作業指定情報が、作業条件として一の日付を設定する条件を有する場合、作業指定情報が指定する作業画面の、作業指定情報が有する作業条件が指定する日付を、作業条件が有する一の日付を設定する条件を満たす日付で更新し、更新された作業画面のデータを、図示しない画面格納部等に蓄積し、この作業画面に対するリンク情報を、画面指定情報として有する作業登録情報を、蓄積するようにしても良い。この場合の作業指定情報が指定する作業画面は、例えば、図示しない格納部等に予め格納しておくようにすればよい。また、この場合においては、作業指定情報が指定する作業画面の代わりに、作業指定情報が指定する作業画面のテンプレートを用いるようにしても良い。
【００５１】
作業登録情報蓄積部１０３は、例えば、作業条件の全てあるいは一部を、上述した実行条件として有する作業登録情報を取得しても良い。例えば、作業登録情報蓄積部１０３は、作業指定情報が、作業条件として、作業を実行する日付や、作業登録情報を示す情報を出力する日付等の日付を指定する条件を有する場合、この日付を指定する条件や、この日付を指定する条件に応じて取得された日付、例えば実行日や、作業登録情報を示す情報を出力する日付を実行条件として有する１以上の作業登録情報を蓄積するようにしてもよい。日付を指定する条件とは、例えば、請求書発行日等を指定する条件や、元帳の確認を行なう日付を指定する条件である。この場合の作業登録情報蓄積部１０３が取得する画面指定情報は、この日付を指定する条件を満たす日付が配置される場所を有するテンプレート等の情報や、この条件を満たす日付で更新される日付が配置された作業画面のデータである。
【００５２】
また、例えば、作業指定情報が画面の出力を伴うタスクや処理を指定する情報と、日付や期間を指定する条件である作業条件とを有する場合、作業登録情報蓄積部１０３は、このタスクや処理を指定する情報を有する作業登録情報であって、この作業条件が示す条件をタスクや処理を実行する際の実行条件として有する作業登録情報を取得し、蓄積しても良い。
【００５３】
また、例えば、作業登録情報蓄積部１０３は、作業指定情報が、作業に利用されるタスクや処理に用いられるデータや作業画面に配置されるデータの取得元、例えば、データベースを指定する作業条件を有する場合、このデータの取得元をデータの取得元に指定する実行条件を有する作業登録情報を取得して、蓄積するようにしても良い。
【００５４】
また、例えば、作業登録情報蓄積部１０３は、作業指定情報が、作業に利用されるタスクや処理に用いられるデータや作業画面に配置されるデータを取得するためのクエリを作業条件として有する場合、このクエリを実行条件として有する作業登録情報を取得して、蓄積するようにしても良い。
【００５５】
作業登録情報蓄積部１０３は、例えば、作業登録情報を、この作業登録情報を示す作業識別子と対応付けて蓄積してもよい。対応付ける作業識別子は、作業登録情報に対応する作業指定情報から取得したものであっても良く、作業登録情報が有する一の情報や二以上の情報の組合わせであってもよい。また、作業登録情報が有する１以上の情報を用いて、予め指定されたルールに従って取得されたものであっても良い。例えば、予め指定されたルールは、作業登録情報が有する１以上の情報に対して連番を付加したものを作業識別子とするというルールである。一の作業登録情報が有する作業識別子は、例えば、一の作業登録情報の識別子である。作業識別子は、この作業識別子を有する作業登録情報に応じて実行されるタスクや処理や、作業登録情報に応じて出力される作業画面を利用して行なわれる作業の識別子と考えてもよい。作業指定情報に応じて取得された作業登録情報が有する作業識別子は、例えば、作業指定情報が有する作業識別子である。また、作業指定情報や、作業登録情報が有する情報に応じて予め指定されたルール等により作成される作業識別子であっても良い。例えば、作業識別子は、作業指定情報が指定する作業画面やタスクに対応付けられた作業の名称と、作業登録情報が示す作業の行なわれる期間や日付を示す情報とを組み合わせた識別子であっても良い。
【００５６】
作業登録情報蓄積部１０３は、作業指定情報に応じて取得された作業登録情報を、この作業指定情報を入力したユーザのユーザ識別子と対応付けて蓄積してもよい。例えば、このユーザ識別子を有する作業登録情報を蓄積してもよく、このユーザ識別子と作業登録情報との組を蓄積してもよい。
【００５７】
作業登録情報蓄積部１０３は、一の作業指定情報に応じて、一の作業登録情報を取得しても良く、複数の作業登録情報を取得してもよい。ここでの複数の作業登録情報は、例えば、異なる作業画面を出力するための作業登録情報である。一の作業指定情報に応じて取得される複数の作業登録情報は、例えば、繰り返し行なわれる作業にそれぞれ用いられる作業画面を出力するための作業登録情報である。例えば、一の作業指定情報が、予め指定された伝票を作成するために用いられる作業画面のテンプレートを指定する画面指定情報と、期間を指定する作業条件と、期間内の各月毎に予め指定された伝票を作成する作業を行なうことを指定する作業条件と、を有する場合、作業登録情報蓄積部１０３は、この作業指定情報に応じて、期間を指定する作業条件が示す期間内の各月にそれぞれ対応した作業登録情報であって、作業指定情報が有する画面指定情報を有する複数の作業登録情報を取得するようにしてもよい。各付にそれぞれ対応した作業登録情報は、例えば、画面指定情報であるテンプレートを用いて作成される伝票の作業画面の月が配置されるフィールドに、各月の値を配置することが指定された作業登録情報である。また、例えば、配置するデータの取得期間を、各月の初日から末日までの範囲に指定する実行条件を有する作業登録情報である。
【００５８】
作業登録情報蓄積部１０３は、上述したような複数の作業画面を動的に取得して出力するための情報を有する作業登録情報を、一の作業指定情報に応じて取得し蓄積しても良く、上述したような画面の出力を伴う複数のタスクまたは処理を動的に実行するための情報を有する作業登録情報を、一の作業指定情報に応じて取得し蓄積しても良い。例えば、作業指定情報が有する作業条件の少なくとも一部は、複数の作業画面を動的に取得するための条件や、複数のタスクまたは処理を動的に実行するための条件として作業登録情報に蓄積されても良い。用いられても良い。例えば、作業条件は、複数の作業画面を動的に取得するためや、複数のタスクまたは処理を動的に実行するために用いられる実行条件として作業登録情報に蓄積されても良い。
【００５９】
作業登録情報蓄積部１０３は、通常、ＭＰＵやメモリ等から実現され得る。作業登録情報蓄積部１０３の処理手順は、通常、ソフトウェアで実現され、当該ソフトウェアはＲＯＭ等の記録媒体に記録されている。但し、ハードウェア（専用回路）で実現しても良い。
【００６０】
出力指示受付部１０４は、出力指示を受け付ける。出力指示は、作業登録情報格納部１０２に格納されている作業登録情報を出力する指示である。出力指示は、作業登録情報を示す情報を出力する指示と考えてもよい。出力指示は、例えば、作業登録情報格納部１０２に格納されている１以上の作業登録情報の一覧を出力する指示と考えてもよい。出力指示受付部１０４は、例えば、ユーザから出力指示を受け付ける。一のユーザから出力指示を受け付ける際に、出力指示受付部１０４は、この一のユーザのユーザ識別子を出力指示とともに受け付けるようにしても良い。このユーザ識別子は、例えば、情報処理装置１を利用するためのログイン時等に入力されたユーザ識別子である。また、情報処理装置１等の図示しない処理部等から出力される出力指示を、出力指示受付部１０４が受け付けても良い。出力指示は、出力対象となる作業登録情報を指定するための条件等を有していても良い。
【００６１】
出力指示の入力手段は、テンキーやキーボードやマウスやメニュー画面によるもの等、何でも良い。出力指示受付部１０４は、テンキーやキーボード等の入力手段のデバイスドライバーや、メニュー画面の制御ソフトウェア等で実現され得る。
【００６２】
作業出力部１０５は、出力指示に応じて、作業登録情報格納部１０２に格納されている１以上の作業登録情報を示す情報を出力する。作業出力部１０５は、例えば、出力指示に応じて、１以上の作業登録情報を示す情報が配置された画面を出力する。例えば、作業出力部１０５は、１以上の作業登録情報を示す情報を一覧表示する。また、作業出力部１０５は、１以上の作業登録情報を示す情報をマトリクス状に配列して出力しても良い。作業登録情報を示す情報は、例えば、作業登録情報に対応付けられた作業識別子である。また、作業登録情報を示す情報は、例えば、作業登録情報に対応付けられたボタンやアイコン等であってもよい。また、作業登録情報に対応する作業の内容を示す情報であっても良い。また、例えば、作業登録情報が有する情報の一部であってもよい。作業登録情報を示す情報は、作業登録情報を識別可能な情報であることが好ましい。
【００６３】
作業出力部１０５は、例えば、作業登録情報格納部１０２に格納されている１以上の作業登録情報の全てを示す情報を出力しても良く、１以上の作業登録情報のうちの一部を示す情報を出力しても良い。
【００６４】
例えば、作業出力部１０５は、予め指定された条件を満たす作業登録情報を示す情報を出力しても良い。予め指定された条件は、例えば、作業登録情報が有する作業に関する期間や日付を示す情報が示す期間や日付と、作業登録情報を示す情報を出力する時点との時系列における関係を示す条件である。例えば、作業登録情報が有する作業に関する期間や日付を示す情報が示す期間や日付と、作業登録情報を示す情報を出力する時点との間の期間の長さが閾値以下であるという条件である。ここでの時点の単位は、時刻であっても日付であっても月や年であってもよい。作業出力部１０５は、例えば、出力を行なう時点を含む期間を示す情報を有する作業登録情報を示す情報だけを、作業出力部１０５が出力するようにしても良い。出力を行なう時点は、例えば、出力の指示を受け付けた時点や、出力のための処理が行なわれている間の任意の時点であっても良い。また、ここでの条件は、例えば、作業登録情報が有する作業を行なう期限の情報が、出力を行なう時点で過ぎているという条件であってもよい。また、ここでの条件は、作業登録情報を利用した作業が、既に終了しているという条件である。作業登録情報を利用した作業とは、例えば、作業登録情報を用いて実行されるタスクや処理を用いた作業や、作業登録情報を用いて出力される作業画面を用いた作業である。例えば、作業が終了した際に、対応する作業登録情報に作業済であることを示すフラグ等の情報を付与することで、作業登録情報について作業が終了しているか否かを判断可能である。また、作業出力部１０５は、例えば、出力指示を入力したユーザや、情報処理装置１を利用しているユーザのユーザ識別子と対応付けられた作業登録情報を示す情報だけを表示してもよい。出力指示を入力したユーザのユーザ識別子は、出力指示を受け付ける際にユーザに入力させるようにしても良く、ログイン時に入力されるユーザ識別子を取得するようにしてもよい。なお、これらの条件の２以上を適宜組合わせて用いても良い。
【００６５】
作業出力部１０５は、例えば、出力指示に応じて、作業登録情報格納部１０２に格納されている１以上の作業登録情報を識別する１以上の作業識別子のうちの１以上を有する画面である作業リスト画面を出力する。作業登録情報を識別する作業識別子は、例えば、作業登録情報と対応付けられて格納されている作業識別子である。作業リスト画面は、例えば、１以上の作業識別子を配列して一覧表示した画面である。作業リスト画面は、例えば、１以上の作業識別子のそれぞれをリストの項目として有する画面である。例えば、作業リスト画面は、作業出力部１０５により、１以上の作業識別子を、図示しないテンプレート等に配置して作成される。例えば、作業出力部１０５は、作業登録情報格納部１０２に格納されている２以上の作業登録情報の全ての作業識別子を有する作業リスト画面を出力しても良く、２以上の作業登録情報のうちの一部を有する作業リスト画面を出力しても良い。例えば、作業出力部１０５は、予め指定された条件を満たす作業登録情報の作業識別子を有する作業リスト画面を出力しても良い。予め指定された条件は、上記の作業登録情報を示す情報を出力する際に利用した条件と同様の条件が利用可能である。
【００６６】
なお、出力対象となる作業登録情報が、例えば、上述したような複数の作業画面を異なる時期に動的に取得して出力するための情報である場合や、作業画面の出力を伴うタスクまたは処理を、複数回、異なる時期に動的に実行するための情報である場合、作業出力部１０５は、この作業登録情報については、作業登録情報が示す作業画面を出力する時点等に応じて、動的に作業登録情報を示す情報、例えば、作業識別子、を取得して出力するようにしてもよい。例えば、作業登録情報が、作業登録情報が示す一の作業を行なう時期となった場合や、一の作業を行なう時期との間の期間が閾値以下となった場合等に、作業出力部１０５は、動的に作業登録情報を示す情報を取得して、出力するようにしても良い。動的に取得される作業登録情報を示す情報とは、例えば、作業登録情報に応じて行なわれる複数の作業のうちの一の作業を特定可能な情報であり、例えば、作業登録情報が有する作業識別子や、作業画面の識別子や、タスク識別子等に、一の作業を行なう時期に関連した情報、例えば一の作業の期日等の値を付加した情報や、一の作業の順番を示す連番等を付加した情報等であっても良い。
【００６７】
また、作業出力部１０５は、上述したような出力を行なう時点に対して、予め指定された条件を満たす時系列上の関係を有する期間や日付の情報を有する作業登録情報と、条件を満たさない関係を有する期間や日付の情報を有する作業登録情報とを視覚的に区別可能となるように出力しても良い。例えば、出力を行なう時点との時間間隔が、予め指定された期間以下である実行期限を示す情報を有する作業登録情報と、それ以外の作業登録情報とを視覚的に区別可能となるよう出力しても良い。また、例えば、出力を行なう時点に対して、期限が過ぎている作業に対応する作業登録情報と、過ぎていない作業登録情報とを視覚的に区別可能となるよう出力しても良く、作業が終了した作業登録情報と、終了していない作業登録情報とを視覚的に区別可能となるよう出力しても良い。なお、これらの条件の２以上を適宜組合わせて用いても良い。視覚的に区別可能となるような出力については後述する。
【００６８】
作業出力部１０５が出力する画面に配置された作業識別子やその近傍には、この作業識別子自身や、この作業識別子が示す作業登録情報へのアドレス情報やリンク情報等が対応付けられた領域が設けられているようにすることが好ましい。
【００６９】
ここでの出力とは、ディスプレイへの表示、プロジェクターを用いた投影、外部の装置への送信、記録媒体への蓄積、他の処理装置や他のプログラム等への処理結果の引渡し等を含む概念である。作業出力部１０５は、ディスプレイ等の出力デバイスを含むと考えても含まないと考えても良い。作業出力部１０５は、出力デバイスのドライバーソフトまたは、出力デバイスのドライバーソフトと出力デバイス等で実現され得る。かかることは、作業画面出力部１０７等の他の出力部についても同様である。
【００７０】
作業指示受付部１０６は、作業出力部１０５が出力する１以上の作業登録情報を示す情報のうちの、一の作業登録情報を示す情報を指定する指示を受け付ける。一の作業登録情報を示す情報を指定する指示を、以下、作業指示と称す。例えば、作業登録情報が作業識別子である場合、作業指示受付部１０６は、作業リスト画面が有する１以上の作業識別子のうちの、一の作業識別子を指定する指示である作業指示を受け付ける。例えば、作業指示受付部１０６は、マウスやタッチパネル等の操作に応じて、作業リスト画面が有する１以上の作業識別子のうちの、一の作業識別子上やその近傍をクリックあるいはタップする操作を受け付けた場合に、このクリックあるいはタップされた位置に配置されている作業識別子を指定する作業指示を受け付ける。
【００７１】
作業指示の入力手段は、マウスやタッチパネルやメニュー画面によるもの等、何でも良い。作業指示受付部１０６は、マウスやタッチパネル等の入力手段のデバイスドライバーや、メニュー画面の制御ソフトウェア等で実現され得る。
【００７２】
作業画面出力部１０７は、作業指示受付部１０６が受け付けた作業指示により指定される一の作業登録情報に応じた作業に用いられる作業画面を出力する。作業指示により指定される一の作業登録情報は、例えば、作業指示が指定する一の作業登録情報を示す情報が示す一の作業登録情報である。例えば、作業画面出力部１０７は、作業指示受付部１０６が受け付けた作業指示により指定される作業識別子が示す作業登録情報が有する画面指定情報が指定する作業画面を出力する。例えば、作業画面出力部１０７は、作業指示により指定される作業識別子に対応する作業登録情報が有する画面指定情報が示す作業画面を出力する。
【００７３】
例えば、作業画面出力部１０７は、画面指定情報が上述したようなリンク情報やアドレス情報である場合、このリンク情報やアドレス情報が示す場所に格納されている作業画面の情報を読み出して、作業画面を出力、例えば表示する。作業画面を出力する際には、作業登録情報が有する１以上の作業条件が示す条件等に応じた情報の変更や追加、削除等を適宜行なうようにしても良い。
【００７４】
また、例えば、画面指定情報がテンプレートを指定する情報である場合、作業画面出力部１０７は、このテンプレートを読み出して取得した作業画面の情報を用いて、作業画面を出力しても良い。また、テンプレートを読み出して作業画面の情報を取得する際に、作業登録情報が有する１以上の実行条件等に応じて、情報の変更や追加、削除等を行なうようにしても良い。例えば、実行条件が作業に関連した日付の情報を有する場合、この日付の情報を、テンプレートの予め指定された位置に配置した作業画面を取得して出力するようにしても良い。また、実行条件が有するクエリ等を用いて、指定されたデータベースから検索等を行ない、検索により取得したデータを配置した作業画面を取得しても良い。
【００７５】
また、作業画面出力部１０７は、例えば、画面指定情報がタスクや処理を指定する情報である場合、このタスクや処理を、画面指定情報が有する作業条件等を利用して実行し、この実行時に出力される入力画面等の作業画面を出力しても良い。
【００７６】
なお、出力対象となる作業登録情報が、例えば、上述したような複数の画面を動的に取得して出力するための情報である場合や、複数のタスクまたは処理を動的に異なる条件を用いて実行するための情報である場合、作業画面出力部１０７は、作業登録情報を示す情報を出力する時点等に応じて、動的に、画面に用いられる情報等を取得して、この情報を用いて、画面指定情報等が指定する画面やテンプレートに対して更新等を行なうことで取得した作業画面を出力するようにしてもよい。例えば、作業登録情報が、請求書のテンプレートを指定する画面指定情報と、このテンプレートに記入される日付を、毎月の末日に設定する条件とを有する情報である場合、作業指示を受け付けた日付を含む月の末日の日付を図示しないカレンダー等を用いて取得し、取得した値を、テンプレートの、請求書の日付を入力する欄に配置した画面を構成して出力しても良い。
【００７７】
また、同様に、出力対象となる作業登録情報が、例えば、上述したような複数のタスクまたは処理を動的に異なる条件を用いて実行するための情報である場合、作業画面出力部１０７は、作業登録情報を示す情報を出力する時点等に応じて、動的に取得された条件を用いてタスクや処理を実行し、このタスクや処理の実行において得られた作業画面を出力するようにしてもよい。
【００７８】
なお、作業画面出力部１０７は、結果的に一の作業登録情報を示す情報を指定する指示が指定する作業登録情報に応じた作業に用いられる作業画面を出力すればよい。例えば、作業画面出力部１０７は、結果的に、作業指示受付部１０６が受け付けた作業指示が指定する作業識別子が示す作業登録情報が有する画面指定情報が指定する作業画面を出力すればよい。例えば、作業画面出力部１０７は、作業指示受付部１０６が一の作業登録情報を示す情報を指定する指示を受け付けた場合に、この作業登録情報に応じた作業に用いられる作業画面の出力を行なうことを確認する画面や、作業登録情報に応じた作業に用いられる画面の出力を行なうことを選択肢として有する１以上の画面等を、一旦出力し、この画面等において、作業に用いられる作業画面の出力を行なうことに同意する操作や、作業画面の出力を行なうことを示す選択肢を選択した場合に、作業に用いられる作業画面を出力するようにしても良い。このような場合も、作業画面出力部１０７が、一の作業登録情報を示す情報を指定する指示が指定する作業登録情報に応じた作業に用いられる作業画面を出力することと考えてよい。
【００７９】
なお、本実施の形態においては説明を省略しているが、情報処理装置１は、作業画面出力部１０７が出力する作業画面を介して、ユーザ等から適宜、情報や操作等を受け付ける図示しない受付部等を備えていてもよい。また、この受付部で受け付けた情報や操作に応じて、上述したような図示しない処理部等により、適宜、予め指定された処理等を行なうようにしてよい。また、この処理部が処理した処理結果を出力する図示しない出力部等を有していても良い。
【００８０】
なお、作業出力部１０５が、更に、情報処理装置１を操作するためのメニュー画面や、情報処理装置１が実行する処理の処理結果等を出力するようにしてもよい。
【００８１】
また、情報処理装置１は、上述したような作業登録情報を蓄積する処理や、作業リスト画面や、作業画面を表示したりする処理等以外の処理を実行する処理部等を備えていてもよい。例えば、この処理部が、上述した作業登録情報が示す作業に用いられるタスクや処理等を実行するようにしても良い。
【００８２】
次に、情報処理装置１の動作の一例について図２のフローチャートを用いて説明する。
【００８３】
（ステップＳ１０１）作業指定受付部１０１は、作業指定情報を受け付けたか否かを判断する。例えば、作業指定受付部１０１は、ユーザから作業条件等を有する作業指定情報を受け付ける。作業指定情報の入力を行なうユーザのユーザ識別子を有する作業指定情報を受け付けても良い。受け付けた場合、ステップＳ１０２に進み、受け付けていない場合、ステップＳ１０４に進む。
【００８４】
（ステップＳ１０２）作業登録情報蓄積部１０３は、ステップＳ１０１で受け付けた作業指定情報に応じた１または２以上の作業登録情報を取得する。例えば、作業登録情報蓄積部１０３は、画面指定情報を有する作業登録情報を取得する。
【００８５】
（ステップＳ１０３）作業登録情報蓄積部１０３は、ステップＳ１０２で取得した１または２以上の作業登録情報を、作業登録情報格納部１０２に蓄積する。ステップＳ１０１でユーザ識別子を有する作業指定情報を受け付けた場合、作業登録情報蓄積部１０３は、このユーザ識別子と対応付けて作業指定情報を蓄積してもよい。例えば、作業登録情報蓄積部１０３は、ユーザ識別子と作業指定情報の組を蓄積する。なお、ユーザ識別子を有する作業登録情報を取得して蓄積することも、ユーザ識別子と対応付けて作業指定情報を蓄積することと考えてもよい。そして、ステップＳ１０１に戻る。
【００８６】
（ステップＳ１０４）出力指示受付部１０４は、ユーザ等から出力指示を受け付けたか否かを判断する。作業登録情報がユーザ識別子と対応付けて蓄積されている場合、出力指示受付部１０４は、出力指示と、これを入力したユーザのユーザ識別子との組を受け付けても良い。受け付けた場合、ステップＳ１０５に進み、受け付けていない場合、ステップＳ１０１に戻る。
なお、ステップＳ１０４で出力指示を受け付けなかった場合に、その他の指示があるか否かを図示しない受付部等が判断し、その他の指示を受け付けた場合に、その他の指示に応じた処理を図示しない処理部等が実行するようにしても良い。
【００８７】
（ステップＳ１０５）作業出力部１０５は、作業登録情報格納部１０２に格納されている作業登録情報の中から、予め指定された出力の条件を満たす作業登録情報を検出する。例えば、作業登録情報が有する作業を実行すべき期間に、現在の日付が含まれる作業登録情報を検出する。作業登録情報がユーザ識別子と対応付けて蓄積されている場合、出力指示を入力したユーザのユーザ識別子と対応付けられた作業登録情報を検出することを、条件の一つと考えてもよい。
【００８８】
（ステップＳ１０６）作業出力部１０５は、ステップＳ１０５で検出した１または２以上の作業登録情報を示す情報を取得し、この作業登録情報を示す情報を配列した作業リスト画面を出力する。出力する各作業登録情報を示す情報には、各作業登録情報が有する画面指定情報等を直接対応づけておくようにしても良い。また、出力する各作業登録情報を示す情報が各作業登録情報の作業識別子でない場合には、リストの項目として出力される情報には、各作業登録情報の作業識別子を対応づけておくようにしても良い。なお、ステップＳ１０５で作業登録情報が検出できなかった場合、作業識別子を有さない作業リスト画面を表示すればよい。あるいは、作業登録情報が検出できなかった旨の出力を行なって、ステップＳ１０１等に戻るようにしても良い。
【００８９】
（ステップＳ１０７）作業指示受付部１０６は、ステップＳ１０６で出力した作業リスト画面において、一のリストの項目、つまり一の作業登録情報を示す情報を指定する作業指示を受け付けた否かを判断する。受け付けた場合、ステップＳ１０８に進み、受け付けていない場合、ステップＳ１０９に進む。
【００９０】
（ステップＳ１０８）作業画面出力部１０７は、ステップＳ１０７で受け付けた作業指示が指定する作業登録情報を示す情報に対応する作業画面を出力する。例えば、指定された作業登録情報を示す情報が示す作業登録情報が有する画面指定情報が指定する作業画面を出力する。作業登録情報が示す情報が、作業識別子でない場合や、作業識別子を有していない場合には、この作業登録情報が示す情報に対応付けられた作業識別子を取得して、この作業識別子に対応する作業登録情報に対応する作業画面、具体的には、作業登録情報が有する画面指定情報が指定する作業画面を出力する。作業登録情報が実行条件を有する場合、この実行条件を満たす作業画面を出力してもよい。例えば、実行条件がクエリを有する場合、クエリを用いて検索されたデータを配置した作業画面を取得し出力しても良い。また、作業リスト画面の作業識別子が、画面指定情報等と直接対応付けられている場合、指定された作業識別子に対応付けられた画面指定情報等と直接対応付けられた作業画面を出力しても良い。そして、ステップＳ１０１に戻る。
なお、ステップＳ１０８で作業画面出力部１０７が作業画面を出力したあと、この作業画面等を用いた入力受付等の処理や、受け付けた情報を用いた処理等を情報処理装置１が適宜実行するようにしてもよい。例えば、作業画面を出力した後に、その作業画面を用いた作業を行なう指示（例えば、値の入力や出力指示等）や、作業画面を用いない作業等のその他の指示を受け付けたか否かを図示しない受付部等が判断し、指示を受け付けた場合に、受け付けた指示に応じた処理を図示しない処理部等が実行するようにしても良い。
【００９１】
（ステップＳ１０９）作業出力部１０５は、作業リスト画面の出力を終了するか否かを判断する。例えば、ユーザから、作業リスト画面の出力を終了する指示を受け付けたか否かを判断し、受け付けた場合、出力を終了すると判断する。あるいは、作業リスト画面の表示から予め指定された時間が経過した場合に、出力を終了することを判断してもよい。終了する場合、ステップＳ１１０に進み、終了しない場合、ステップＳ１０７に戻る。
【００９２】
（ステップＳ１１０）作業出力部１０５は、作業リスト画面の出力を終了する。そして、ステップＳ１０１に戻る。
なお、図２のフローチャートにおいて、電源オフや処理終了の割り込みにより処理は終了する。
【００９３】
以下、本実施の形態における情報処理装置１の具体的な動作について説明する。ここでは、情報処理装置１は、財務会計に関する処理を行なう装置である場合を例に挙げて説明する。
【００９４】
図３は、情報処理装置１の作業画面出力部１０７等が出力するメニュー画面を示す図である。このメニュー画面は、各項目がボタンで表されているとともに、階層化されており、一のボタンをタッチパネルやマウス等を用いて押した場合に、その下位の階層のメニューの項目がボタンとして右側に表示されるものであるとする。なお、メニュー画面の右上には、作業リスト画面を表示するボタン３１が配置されているものとする。
【００９５】
例えば、ユーザＡが、「ＡｃＡｄｍｉｎ」というアカウントでログインして、図３に示すように、情報処理装置１のメニュー画面３０を表示させ、これを操作して、ユーザが、会計帳票の元帳を表示するメニュー項目を選択したとする。図３に示したメニュー画面３０の各メニュー項目は、適宜、メニュー項目に応じた画面のデータ等と対応付けられているものとする。具体的には、メニュー項目には、画面のデータへのリンク情報が設定されているものとする。ここでのリンク情報は、例えば、同じ情報処理装置１内の図示しない格納部に格納されている画面のデータへのリンク情報であるとする。
【００９６】
図４は、会計帳票の元帳を表示する際の条件設定を行なう設定画面４０である。設定画面４０には、元帳を表示する際に設定可能な１以上の条件を受け付けるための様々なボタンや入力フィールド、リストメニュー等がも受けられているものとする。
【００９７】
ユーザが、会計帳票の元帳を表示するメニュー項目を選択すると、作業画面出力部１０７等が、選択されたメニュー項目に応じた図４に示すような設定画面４０を表示する。
【００９８】
ユーザが、図４に示した設定画面４０において、表示する元帳の集計範囲や、表示する元帳の種類や、税処理の有無等の条件を指定して、画面を表示するためのボタン４１を押すと、作業画面出力部１０７は、上記の設定画面４０においてユーザにより指定された条件を満たす元帳のデータを、情報処理装置１が有するデータベース、あるいは外部のデータベースから検索により取得する。作業画面出力部１０７は、上記で選択されたメニュー項目に対応付けられたテンプレート（図示せず）を読み出し、このテンプレートにより構成された元帳の画面に、上記で検索により取得した元帳のデータを配置し、配置して得られた元帳の画面を出力、例えば、図示しないモニタ等に表示する。なお、テンプレートを用いて、検索により取得したデータを配置した画面を構成して出力する処理等は、データベース等の技術においては、公知であるため、ここでは詳細な説明は省略する。
【００９９】
図５は、作業画面出力部１０７が出力する元帳の画面５０の表示例である。
【０１００】
ユーザが、図５に示したような元帳を、毎月、繰り返し表示させ、確認する作業を定期的に行なうことを考えたとする。以下、このような作業を実行予定がある作業として登録する場合について説明する。
【０１０１】
図６は、作業条件を登録するための作業条件登録画面６０の表示例である。この作業条件登録画面には、作業条件をを受け付けるための様々なボタンや入力フィールド、リストメニュー等が設けられているものとする。例えば、この作業条件登録画面６０のデータ等は、図４に示した設定画面４０に対応付けて、予め用意されているものとする。
【０１０２】
ユーザは、図４に示すような条件設定を行なう画面を再度表示させ、元帳の画面４０を表示させる処理を、今後実行すべき処理として登録するために、タスク登録ボタン４２を押したとすると、作業画面出力部１０７は、図６に示したような作業条件登録画面６０を図示しないモニタに表示する。
【０１０３】
ユーザは、図６に示した作業条件登録画面６０において、作業条件の入力を行なったとする。例えば、図６のタスク名を入力するフィールド６１にタスク名として「預金科目の元帳を確認する（月末処理）」という文字列を入力したとする。また、作業を行なう担当者を入力するフィールド６１には、「自分」という値を選択したとする。この値「自分」は、作業条件の入力を行なっているユーザを意味し、作業条件としては、このユーザのアカウント「ＡｃＡｄｍｉｎ」が入力される。また、作業の繰り返しを指定するボタン６３が選択されたとする。また、作業の期日を入力するフィールド６４には、初回の作業の期限の日付「２０１５／８／３１」と時間「１５：００」とが入力されたとする。また、繰り返し間隔を選択するリストメニュー６５においては、繰り返しが毎月行なわれることを示す値「毎月」が選択されたとする。また、図示しないカレンダー等から取得される期日の日付が休日である場合における休日の回避方法を設定するリストメニュー６６においては「前営業日にする」が選択されたとする。なお、この具体例においては、タスク名と、期日との組合わせを、作業識別子として用いている。
【０１０４】
そして、ユーザが登録ボタン６７を押すと、作業指定受付部１０１が、押された時点で作業条件登録画面６０に入力されている情報を、作業指定情報の作業情報として受け付ける。具体的には、タスク名「預金科目の元帳を確認する（月末処理）」と、ユーザ識別子「ＡｃＡｄｍｉｎ」と、作業の繰り返しを「有り」とする情報と、作業の期限の日付「２０１５／８／３１」と時間「１５：００」と、作業の繰り返し間隔「毎月」、休日の回避方法「前営業日にする」等を受け付ける。
【０１０５】
なお、図４に入力された設定条件のうち、図６に示した作業条件登録画面から入力される作業条件と矛盾しない条件のうちの１以上についても、ここでは、作業指定情報の作業条件として取得してもよい。この１以上の条件は、例えば、予め指定されているようにすればよい。ここでは、例えば、図４に入力された元帳の種類や、税処理等の情報を、作業指定受付部１０１が、作業指定情報の作業条件としてそのまま受け付けるものとする。
【０１０６】
また、作業指定受付部１０１は、上記で選択されたメニュー項目に対応付けられたテンプレートへのリンク情報を、画面指定情報として取得する。例えば、リンク情報である画面指定情報は、「Ｃ：￥Ｕｓｅｒｓ￥Ｕｓｅｒｎａｍｅ￥Ｔｅｍｐｌａｔｅ￥Ｍｏｔｏｃｈｏ」であるとする。なお、「Ｍｏｔｏｃｈｏ」は、図５の出力に用いたテンプレートと同じテンプレートのファイル名であるとする。このようにして、作業指定受付部１０１は、上記のリンク情報である画面指定情報と、作業条件登録画面６０や設定画面４０を介して受け付けた作業条件とを有する作業指定情報を受け付ける。
【０１０７】
作業登録情報蓄積部１０３は、受け付けた作業指定情報に応じた１以上の作業登録情報を取得する。具体的には、まず、作業指定情報が有する作業条件の、作業の繰り返し間隔の値「毎月」と、作業の期日「２０１５／８／３１」とから、２０１５年８月３１日以降において、毎月「３１日」を期日とした作業登録情報を作成することを決定する。ここではデフォルトでは一年分の作業登録情報を作成することが予め指定されていたとすると、２０１５年８月から、２０１６年７月までの毎月の「３１日」の「１５：００」を期日としてそれぞれ有する合計１２件の作業登録情報の作成する。なお、「３１日」がない月については、「３１日」に最も近い日付が用いられる。ただし、作業条件が有する休日の回避方法の値「前営業日にする」に応じて、３１日や３１日に最も近い日付が、休日である場合、その前営業日が、期限の日付として用いられる。また、作業条件が示す繰り返しが毎月であることから、各作業登録情報の、元帳に用いるデータの検索期間を、各作業登録情報の期日を含む月の「１日」から、期日までの範囲に設定する実行条件を取得する。また、作業登録情報蓄積部１０３は、作業指定情報が有する画面指定情報を、そのまま、各作業登録情報の画面指定情報として取得する。また、作業登録情報蓄積部１０３は、作業指定情報が有する他の作業条件を、そのまま、各作業登録情報の実行条件として取得する。
【０１０８】
そして、作業登録情報蓄積部１０３は、取得した１２件の作業登録情報を、それぞれ、作業登録情報格納部１０２に蓄積する。
【０１０９】
図７は、作業登録情報格納部１０２に格納されている作業登録情報を管理する作業登録情報管理表の一例を示す図である。作業登録情報管理表は、「ＩＤ」、「期日」、「タスク名」、「ユーザＩＤ」、「リンク」、「その他条件」を有している。「ＩＤ」は、作業登録情報を管理する識別子であり、この作業登録情報管理表においては、一の行は、一の作業登録情報を示している。「期日」は、作業の期日である。「タスク名」は、タスクの名称であり、上記の「期日」との組合わせにより作業識別子として用いられる。「ユーザＩＤ」はユーザ識別子であり、ここではユーザのアカウントである。「リンク」は、画面指定情報であり、ここでは、テンプレートのリンク情報である。「その他条件」は、上記以外の他の作業条件である。なお、「その他条件」において、「：」（コロン）の前の文字列は条件の属性名、後の文字列は属性値を示す。なお、説明の便宜上、上記のその他条件を自然言語を用いて表しているが、その他条件は、例えば、これらの自然言語に相当する一以上の関数や、メソッド名や、「ｉｆ」、「ｔｈｅｎ」等で示される制御構文等で構成されていてもよい。また、登録条件や、作業条件は、これらの自然言語に対応する判断処理等を行うためのアルゴリズムであっても良い。かかることは、他の条件等についても同様である。
【０１１０】
同様に、ユーザＡが、他の作業についても、上記と同様の処理を行なうことにより、他の作業についての作業登録情報が作業登録情報格納部１０２に追記されたとする。
【０１１１】
ユーザＡが、「２０１５／８／２０」の「９：２５」に、情報処理装置１にログインし、図３に示したようなメニュー画面において、作業リスト画面を表示するボタン３１を押したとすると、出力指示受付部１０４は、出力指示を受け付ける。ここでは、デフォルトの設定に応じて、出力指示受付部１０４は、ログインしたユーザのユーザ識別子（ここでは、ユーザＡのアカウント「ＡｃＡｄｍｉｎ」）を有する作業登録情報であって、期日が現在の日付と同じ月の日付である作業登録情報（ここでは、期日が８月の日付である作業登録情報）の作業識別子を有する作業リストを出力する出力指示を受け付けるものとする。ここでの、ユーザ識別子と、現在の日時から設定される期間とは、出力する作業識別子を限定するための条件と考えてもよい。
【０１１２】
作業出力部１０５は、作業指示受付部１０６が受け付けた出力指示に応じた作業リスト画面を出力する。具体的には、図７に示したような作業登録情報管理表において、「期日」が「８月の日付、つまり「２０１５／８／１」から「２０１５／８／３１」の範囲に含まれる日付を有し、「ユーザＩＤ」が「ＡｃＡｄｍｉｎ」と一致するレコード（行）を検索し、検出したレコードの「タスク識別子」の属性値と、「期日」の属性値のうちの日付の部分のみ（ただし、年を除く）との組を取得し、取得した組を、予め指定されたテンプレート等にリスト状に配置した画面を構成し、構成した画面である作業リスト画面を図示しないもモニタ等に表示する。ここでは、図７の「ＩＤ」が「００１」のレコードが、上記の検索により検出され、このレコードの「タスク識別子」の属性値「預金科目の元帳を確認する（月末処理）」と、「期日」の属性値の日付「８／３１」との組を取得する。また、同様に、作業登録情報管理表の図示しないレコードから、「債権債務科目の元帳を確認する」という「タスク識別子」と、「８／３１」という「期日」の組を取得する。そしてこれらの２つの組をリスト項目として有する作業リスト画面を、図示しないモニタに表示する。このリストの各行の文字列、例えば、「預金科目の元帳を確認する（月末処理）」と「８／３１」との組等が、ここでは、作業識別子として用いられている。
【０１１３】
図８は、作業リスト画面８０の表示例を示す図である。
【０１１４】
ここで、仮に、ユーザＡがこの作業リスト画面８０において、「預金科目の元帳を確認する（月末処理）」という文字列と「８／３１」という文字列との組である作業識別子を有する行８１を指定する操作、例えば、マウス等を用いてクリックする操作を行なったとすると、作業指示受付部１０６は、この操作に応じて作業指定を受け付け、指定された行のタスク名と日付とを取得し、図７に示した作業登録情報において、「タスク名」が取得したタスク名である「預金科目の元帳を確認する（月末処理）」であって、「期日」が取得した日付である「８／３１」を含む作業登録情報を検出する。ここでは、「ＩＤ」が「００１」であるレコードが作業登録情報管理表において検出される。そして検出されたレコードに含まれる作業登録情報を、確認用画面を作成するための予め用意されたテンプレート等に配置して、この作業登録情報に対応する作業画面を出力するか否かをユーザに確認するための画面である確認画面を出力、例えばモニタ等に表示する。
【０１１５】
図９は、作業画面の出力を確認する確認画面９０の表示例を示す図である。
【０１１６】
そして、ユーザが、作業画面の出力に同意するためのボタンであるメニュー画面起動ボタン９１を押したとする。作業画面出力部１０７は、図７に示した作業登録情報管理表の「ＩＤ」が「００１」であるレコードの「その他条件」から、作業画面に配置するデータを検索するための条件等の実行条件、例えば、「検索期間」や、「元帳種類」等の実行条件取得し、この情報を用いて、情報処理装置１が有するデータベース、あるいは外部のデータベースから検索により作業画面に配置する情報を取得する。作業画面出力部１０７は、作業登録情報管理表の「ＩＤ」が「００１」であるレコードの「リンク」の属性値であるリンク情報を取得し、このリンク情報が示す場所から作業画面を作成するために利用するテンプレートを読み出し、このテンプレートを用いて構成した元帳の画面に、上記で検索により取得した元帳のデータや、「ＩＤ」が「００１」である作業登録情報管理表のレコードの情報等を、テンプレートの指定等に応じて配置し、配置して得られた元帳の画面を出力、例えば、図示しないモニタ等に表示する。
【０１１７】
これにより、図５と同様の作業画面を出力することができる。ただし、ここで出力される作業画面の、データの出力期間等は、図５とは異なるものとなる。なお、本具体例においては、出力された作業画面に対して、情報処理装置１を用いてどのような処理を行なうかについては、問わない。
【０１１８】
なお、図９に示した確認画面の表示は省略して、作業画面を出力するようにしても良い。
【０１１９】
図１０は、作業登録情報を確認するためのリスト画面の表示例を示す図である。
【０１２０】
なお、上記具体例において、作業登録情報蓄積部１０３が、作業指定情報に応じて１以上の作業登録情報を取得して作業登録情報格納部１０２に蓄積する前に、図１０に示すような、取得した作業登録情報のリスト画面を、上述した作業リスト画面と同様に作成して出力（例えば表示）し、表示されたリスト画面から、適切な作業登録情報が作成されているか否かを確認できるようにしても良い。
【０１２１】
また、このリスト画面において、一の作業登録情報に対応する作業識別子の指定を受け付けた場合に、この作業識別子に対応する作業登録情報の内容を出力（例えば、表示）し、出力した作業登録情報に対する修正や変更を、図示しない受付部等を介して作業登録情報毎に受け付けられるようにしても良い。
【０１２２】
以上、本実施の形態によれば、ユーザが画面を用いて行なう予定の作業を登録し、登録した作業を一括して見ることができる。
【０１２３】
なお、上記の具体例においては、作業指定情報を受け付けた場合に、作業登録情報蓄積部１０３が、繰り返し実行される作業の各繰り返し回毎に、それぞれ作業登録情報を作成して、作成した作業登録情報を作業登録情報格納部１０２に蓄積するようにしたが、作業登録情報蓄積部１０３は、繰り返し実行される作業については、上述したような複数の作業画面を動的に取得して出力するための情報を有する作業登録情報や、上述したような画面の出力を伴う複数のタスクまたは処理を動的に実行するための情報を有する一の作業登録情報を、一の作業指定情報に応じて取得し蓄積するようにしても良い。ここで蓄積する一の作業登録情報は、例えば、繰り返し実行される作業のうちの各回の作業が実行される条件、例えば、作業が繰り返し実行される日付や、繰り返される時間間隔等を指定する条件を含む実行条件を有する作業登録情報である。
【０１２４】
そして、出力指示受付部１０４が出力指示を受け付けた際等には、作業出力部１０５が、このような繰り返しの作業について取得された一の作業登録情報については、その作業登録情報が有する繰り返しの作業が行なわれる条件を示す実行条件等を、出力指示を受け付けた時点の日付等が満たすか否かを判断する。満たす場合に、この一の作業登録情報を示す情報、例えば作業識別子、を取得し、この作業登録情報を示す情報を有する作業リスト画面を構成して表示するようにしても良い。この一の作業登録情報を示す情報は、一の作業登録情報が示す繰り返し行なわれる作業のうちの一の回の作業を特定可能な情報であることが好ましい。
【０１２５】
例えば、上記の具体例において、図６の画面から入力された作業指定情報に応じて、作業登録情報蓄積部１０３が取得した作業登録情報が、上述したような複数の作業画面を動的に取得して出力するための情報を有する一の作業登録情報である場合について、以下に説明する。
【０１２６】
図６の画面から入力された作業指定情報が、上記の具体例と同じタスク名「預金科目の元帳を確認する（月末処理）」等を有する作業指定情報であったとすると、作業登録情報蓄積部１０３は、作業指定受付部１０１が受け付けたこの作業指定情報が有する画面指定情報を有する一の作業登録情報を取得し、作業登録情報格納部１０２に蓄積したとする。また、ここで蓄積された一の作業登録情報は、作業指定情報が有する作業条件である作業の繰り返し間隔の値「毎月」や、作業の期日「２０１５／８／３１」等を、そのまま実行条件として有する作業登録情報であるとする。
【０１２７】
出力指示受付部１０４が、ユーザから「２０１５／１０／３１」に出力指示を受け付けたとする。作業出力部１０５は、上記の一の作業登録情報が有する実行条件が、作業の繰り返し間隔の値「毎月」と、作業の開始日と期日とを指定する日付である「２０１５／８／３１」とを有しており、この作業登録情報が、「２０１５／８／３１」以降の毎月の「３１日」を作業を行なう日付として指定するものであり、上記の出力指示を受け付けた日付「２０１５／１０／３１」が、「２０１５／８／３１」以降の月の「３１日」であることから、この一の作業登録情報が示す繰り返し行なわれる作業のうちの一の回の作業を行なう日付についての条件を満たすと判断する。このため、作業出力部１０５は、この作業登録情報について、一の回の作業を特定することが可能な作業識別子を取得する。具体的には、実行条件が有するタスク名「預金科目の元帳を確認する（月末処理）」と、出力指示を受け付けた日付を含む月である「１０月」の「３１日」を期日として示す情報「１０／３１」との組を作業識別子として取得し、この作業識別子を配置した作業リスト画面を出力する。この作業リスト画面は、例えば、図８に示した作業リスト画面に相当する画面である。
【０１２８】
ここで出力される作業リスト画面において、作業指示受付部１０６が、この「預金科目の元帳を確認する（月末処理）」と、「１０／３１」との組を有するリストの項目を指定する作業指示を受け付けたとすると、作業画面出力部１０７は、指定された作業指示に対応する上記の一の作業登録情報の実行条件に応じて、出力指示を受け付けた日付を含む月である１０月の初日「１０／１」から、末日「１０／３１」までの期間のデータを、図示しない格納部等からクエリ等を用いて検索により取得し、取得したデータを、上記の一の作業登録情報が有する画面指定情報が指定するテンプレート等に配置した作業画面を出力する。このようにして、出力指示を受け付けた日付に応じた作業リスト画面や作業画面を動的に出力することが可能となる。
【０１２９】
なお、本実施の形態において説明した情報処理装置１は、例えば、ＭＰＵやＣＰＵ等のプロセッサを用いて第一のアプリケーションソフトウェアを実行させた場合の、第一のアプリケーションソフトウェアの機能として実現されても良い。
【０１３０】
また、本発明の情報処理装置１は、第一のアプリケーションソフトウェアを実行可能な実行部（図示せず）を備えていても良い。この場合、情報処理装置１の作業指定受付部１０１は、第一のアプリケーションソフトウェアから作業指定情報を受け付けるようにし、作業登録情報蓄積部１０３が、受け付けた作業指定情報に応じて、第一のアプリケーションソフトウェアの機能として実現される処理についての作業登録情報を取得して作業登録情報格納部１０２に蓄積するようにしても良い。
【０１３１】
（実施の形態２）
本実施の形態においては、上記実施の形態において説明した情報処理装置がＭＰＵやＣＰＵ等を用いて第一のアプリケーションソフトウェアを実行させた場合の、第一のアプリケーションソフトウェアの機能として実現されるものであり、第一のアプリケーションソフトウェアとは異なる第二のアプリケーションソフトウェアを上記と同じＭＰＵやＣＰＵを用いて実行させることできるとともに、情報処理装置が、この第二のアプリケーションソフトウェアについて取得された作業登録情報を示す情報を出力できるようにした変形例について説明する。
【０１３２】
図１１は、本実施の形態の情報処理装置２の構成を示すブロック図である。情報処理装置２は、作業指定受付部２０１、作業登録情報格納部２０２、作業登録情報蓄積部２０３、出力指示受付部２０４、作業出力部２０５、作業指示受付部２０６、作業画面出力部２０７を備える。
【０１３３】
本実施の形態の情報処理装置２は、ＭＰＵやＣＰＵ等のプロセッサで第一のアプリケーションソフトウェアを実行させた場合において、第一のアプリケーションソフトウェアの機能として実現されるものであるとする。例えば、第一のアプリケーションソフトウェアは、後述する図１６のようなコンピュータ等のハードディスク９１４等の格納部等に格納されており、図１６のＭＰＵ９１１やＣＰＵ等のプロセッサで第一のアプリケーションソフトウェアを実行させた場合の機能として、情報処理装置２が実現される。第一のアプリケーションソフトウェアは、例えば、企業や団体等の法人において行なわれる財務や経理、人事、在庫管理等に関連した作業に用いられるソフトウェアである。
【０１３４】
作業指定受付部２０１は、上記作業指定受付部１０１において、第一のアプリケーションソフトウェアを実行させることで出力される１以上の画面を用いて行なわれる１以上の各作業を指定する１以上の作業指定情報を受け付けるようにしたものである。第一のアプリケーションソフトウェアを実行させることで出力される１以上の画面は、例えば、第一のアプリケーションソフトウェアの入力画面や、処理結果を示す画面等である。ここでの作業指定情報の受付は、第一のアプリケーションソフトウェアに対する作業指定情報の受付と考えてもよい。その他の構成等については、作業指定受付部１０１と同様であるため、ここでは詳細な説明は省略する。
【０１３５】
作業登録情報格納部２０２は、上記作業登録情報格納部１０２において、作業登録情報蓄積部２０３が取得した後述する第一の作業登録情報が、作業登録情報として格納されるようにしたものである。作業登録情報格納部２０２は、プロセッサがアクセス可能な格納部と考えてもよい。例えば、作業登録情報格納部２０２は、後述する図１６のハードディスク９１４等の格納部であってもよい。他の構成については、作業登録情報格納部１０２と同様であるため、ここでは、詳細な説明は省略する。
【０１３６】
作業登録情報蓄積部２０３は、上記作業登録情報蓄積部１０３において、作業指定受付部２０１が受け付けた作業指定情報に応じて作業登録情報を取得するとともに、取得した作業登録情報を、第一のアプリケーションソフトウェアを用いて行なわれる作業に関する作業登録情報として蓄積するものである。第一のアプリケーションソフトウェアを用いて行なわれる作業に関する作業登録情報を、ここでは、第一の作業登録情報と称す。
【０１３７】
作業登録情報蓄積部２０３の処理、例えば、作業指定受付部２０１が受け付けた作業指定情報に応じて、１または２以上の作業登録情報を取得し、取得した作業登録情報を、作業登録情報格納部２０２に蓄積する処理や、他の処理等については、上記実施の形態１の作業登録情報蓄積部１０３と実質的に同じであるため、ここでは詳細な説明は省略する。
【０１３８】
なお、作業登録情報蓄積部２０３は、第一のアプリケーションソフトウェアを識別するアプリケーション識別子等と対応付けられた第一の作業登録情報を、作業登録情報格納部２０２に蓄積するようにしても良い。アプリケーション識別子等と対応付けられた第一の作業登録情報を蓄積するということは、アプリケーション識別子等と第一の作業登録情報との組を蓄積することであっても良く、アプリケーション識別子等を有する第一の作業登録情報を蓄積することであっても良い。かかることは、後述するアプリケーション識別子等と対応付けられた第二の作業登録情報を蓄積する際においても同様である。アプリケーション識別子は、例えば、アプリケーションソフトウェア名や、アプリケーションソフトウェアの実行ファイルのファイル名等である。第一のアプリケーションソフトウェアのアプリケーション識別子は、第一のアプリケーションソフトウェアであることを示すフラグ等の情報であってもよい。第一のアプリケーションソフトウェアのアプリケーション識別子は、第一の作業登録情報の識別子と考えてもよい。
【０１３９】
ここで、本実施の形態においては、第一のアプリケーションソフトウェアを実行させるＣＰＵやＭＰＵ等のプロセッサと同じプロセッサで、第一のアプリケーションソフトウェアとは異なる第二のアプリケーションソフトウェアが実行可能であるとする。例えば、第二のアプリケーションソフトウェアは、後述する図１６のようなコンピュータ等のハードディスク９１４等の格納部等に格納されており、図１６のＭＰＵ９１１やＣＰＵ等のプロセッサにより実行される。また、ここでは、第二のアプリケーションソフトウェアを実行することにより、情報処理装置２と同様の機能を実現することが可能なものであり、第二のアプリケーションソフトウェアを用いて行なわれる作業に関する作業登録情報を取得して蓄積できるものとする。第二のアプリケーションソフトウェアを用いて行なわれる作業に関する作業登録情報を、ここでは、第二の作業登録情報と称す。ここでは、第二のアプリケーションソフトウェアを実行することによって取得された第二の作業登録情報は、例えば、上記のプロセッサ等がアクセス可能な図示しない第二作業登録情報格納部に蓄積されるものとする。例えば、第二作業登録情報格納部は、後述する図１６のハードディスク９１４等の格納部であってもよい。なお、作業登録情報格納部１０２と第二作業登録情報格納部とを一の格納部で実現してもよい。第二のアプリケーションソフトウェアを実行することにより取得した第二の作業登録情報を蓄積する際には、第二のアプリケーションソフトウェアを識別するアプリケーション識別子等と対応付けられて、第二作業登録情報格納部に蓄積するようにしても良い。アプリケーション識別子については、上記と同様である。第二のアプリケーションソフトウェアのアプリケーション識別子は、第二の作業登録情報の識別子と考えてもよい。第二のアプリケーションソフトウェアは、例えば、上述したような第一のアプリケーションソフトウェアと同様のソフトウェアである。ただし、第一のアプリケーションソフトウェアと、第二のアプリケーションソフトウェアとは、異なるソフトウェアであることが好ましい。
【０１４０】
出力指示受付部２０４は、出力指示が、第一の作業登録情報と、第二作業登録情報とを出力する指示である点を除けば、上記出力指示受付部１０４と同様であり、ここでは詳細な説明は省略する。ここでの出力指示は、第一のアプリケーションソフトウェアに対する出力指示と考えてもよい。
【０１４１】
作業出力部２０５は、出力指示受付部２０４が受け付けた出力指示に応じて、作業登録情報格納部２０２に格納された第一の作業登録情報と、第二のアプリケーションソフトウェアを用いて行なわれる作業に関する作業登録情報である第二の作業登録情報とをそれぞれ示す情報を出力する。例えば、作業出力部２０５は、作業登録情報格納部２０２に格納されている第一の作業登録情報を示す情報、例えば作業識別子を取得する。また、作業出力部２０５は、第二作業登録情報格納部（図示せず）に格納されている第二の作業登録情報を示す情報、例えば作業識別子を取得する。そして、取得した第一の作業登録情報を示す情報と第二の作業登録情報とを示す情報とを出力する。例えば、作業出力部２０５は、第一の作業登録情報の作業識別子と、第二の作業登録情報の作業識別子とを有する、上記実施の形態１の作業リスト画面と同様の作業リスト画面を出力する。
【０１４２】
なお、作業出力部２０５が第二の作業登録情報を取得する際には、作業出力部２０５は、第二のアプリケーションソフトウェアに、第二の作業登録情報を送信する指示や命令等を出力し、この出力に応じて第二のアプリケーションソフトウェアが出力する第二の作業登録情報を示す情報も取得しても良い。
【０１４３】
作業出力部２０５が、第一の作業登録情報を示す情報を取得する際に、第一の作業登録情報に対応付けられた第一のアプリケーションソフトウェアのアプリケション識別子も取得して、出力される第一作業登録情報に対応付けておくようにしても良い。同様に、第二の作業登録情報を示す情報を取得する際に、第二の作業登録情報に対応付けられた第二のアプリケーションソフトウェアのアプリケーション識別子も取得して、出力される第一作業登録情報に対応付けておくようにしても良い。
【０１４４】
例えば、作業出力部２０５は、例えば、出力指示の受け付けに応じて、作業登録情報格納部２０２及び第二作業登録情報格納部（図示せず）に格納されている１以上の作業登録情報を識別する１以上の作業識別子のうちの１以上を有する画面である作業リスト画面を出力する。ここでの１以上の作業識別子は、第一の作業登録情報の作業識別子であってもよく、第二の作業登録情報の作業識別子であってもよく、これらの組合わせであっても良い。
【０１４５】
なお、作業出力部２０５は、上記以外の処理として、上記実施の形態１において説明した作業出力部１０５と同様の処理を適宜行なうことが可能なものであってもよい。例えば、作業出力部２０５が、第一の作業登録情報を示す情報及び第二の作業登録情報を示す情報を取得する際には、上記実施の形態１において説明した作業出力部１０５と同様に、予め指定された条件を満たす作業登録情報を示す情報を出力しても良い。予め指定された条件については、作業出力部１０５が利用する条件と同様であるため、ここでは詳細な説明は省略する。また、動的に第一の作業登録情報や第二の作業登録情報を取得してこれらの作業登録情報を示す情報を出力しても良い。
【０１４６】
作業出力部２０５は、第一の作業登録情報を示す情報と、第二の作業登録情報を示す情報とを、視覚的に区別可能となるよう出力してもよい。視覚的に区別可能に出力することは、例えば、異なる表示態様で出力すること、例えば異なる外観となるよう出力すること考えてもよい。視覚的に区別可能に出力することは、例えば、文字色や背景色、フォント、太さ、下線等の文字の修飾の１以上の組合わせが異なる作業登録情報を示す情報、例えば作業識別子や、この作業識別子が配置されたリスト項目を、作業リスト画面等の画面に出力することである。
【０１４７】
作業出力部２０５が、第一の作業登録情報を示す情報と、第二の作業登録情報を示す情報とをどのように判断するかは問わない。例えば、第一の作業登録情報を示す情報や、第二の作業登録情報を示す情報がアプリケーション識別子と対応付けられている場合、作業出力部２０５は、このアプリケーション識別子を用いて、取得した作業登録情報を示す情報が、第一の作業登録情報を示す情報であるか、第二の作業登録情報を示す情報であるかを判断する。対応付けられたアプリケーション識別子が第一のアプリケーションソフトウェアのものであれば、第一の作業登録情報を示す情報であると判断し、対応付けられたアプリケーション識別子が第二のアプリケーションソフトウェアのものであれば、第二の作業登録情報を示す情報であると判断する。また、第一の作業登録情報と、第二の作業登録情報が異なる格納部に格納されている場合、作業登録情報を示す情報が示す作業登録情報の格納されている場所により、作業登録情報を示す情報が、第一の作業登録情報を示す情報であるか、第二の作業登録情報を示す情報であるかを判断してもよい。作業登録情報を示す情報が示す作業登録情報の格納されている場所が作業登録情報格納部２０２であれば、第一の作業登録情報を示す情報であると判断し、その他の格納部であれば、第二の作業登録情報を示す情報であると判断してもよい。なお、作業出力部２０５の、上記以外の構成や処理については、作業出力部１０５と同様であり、ここではその詳細な説明については省略する。
【０１４８】
作業指示受付部２０６は、作業出力部２０５が出力する第一の作業登録情報と第二の作業登録情報とをそれぞれ示す情報のうちの一の作業登録情報を示す指示を受け付ける。例えば、作業指示受付部２０６は、作業出力部２０５が出力する第一の作業登録情報の作業識別子と第二の作業登録情報の作業識別子とを有する作業リスト画面とをそれぞれ示す情報のうちの一の作業登録情報を示す指示を受け付ける。ここでは、情報処理装置２は第一のアプリケーションソフトウェアの機能として実現されるものであるため、例えば、作業指示受付部２０６が受け付ける指示は、第一のアプリケーションソフトウェアから受け付ける指示と考えてもよい。なお、作業指示受付部２０６の他の構成や処理については、上述した作業指示受付部１０６と同様であるため、ここでは詳細な説明は省略する。
【０１４９】
作業画面出力部２０７は、作業指示受付部２０６が受け付けた一の作業登録情報を示す情報を指定する作業指示が、第一の作業登録情報を示す情報を指定する指示である場合、指定された第一の作業登録情報に応じた作業に用いられる作業画面を出力する。また、作業画面出力部２０７は、作業指示受付部２０６が受け付けた一の作業登録情報を示す情報を指定する指示が、第二の作業登録情報を示す情報を指定する指示である場合、第二のアプリケーションソフトウェアを実行させて、指定された第二の作業登録情報に応じた作業に用いられる作業画面を出力させる。例えば、作業指示受付部２０６が受け付けた作業指示により指定された作業登録情報が第二の作業登録情報である場合に、作業画面出力部２０７は、第二のアプリケーションソフトウェアを実行させて、この第二の作業登録情報が有する画面指定情報が指定する作業画面を出力させる。
【０１５０】
例えば、作業画面出力部２０７は、作業指示受付部２０６が受け付けた一の作業識別子を指定する指示が、第一の作業登録情報を示す作業識別子を指定する指示である場合、指定された第一の作業登録情報が有する画面指定情報が指定する作業画面を出力する。また、作業画面出力部２０７は、作業指示受付部２０６が受け付けた一の作業識別子を指定する指示が、第二の作業登録情報を示す作業識別子を指定する指示である場合、第二のアプリケーションソフトウェアを実行させて、指定された第二の作業登録情報が有する画面指定情報が指定する作業画面を出力させる。
【０１５１】
作業画面出力部２０７が、作業指示受付部２０６が受け付けた一の作業識別子を指定する指示、例えば、作業識別子を指定する指示が示す作業登録情報が、第一の作業登録情報であるか第二の作業登録情報であるか否かをどのように判断してもよい。例えば、上述したような、作業リスト画面において、出力する作業識別子が、第一の作業登録情報に対応するものであるか、第二の作業登録情報に対応するものであるかを判断する際の処理と同様の判断処理により、作業識別子を指定する指示が示す作業登録情報が、第一の作業登録情報であるか第二の作業登録情報であるか否かを判断してもよい。例えば、作業識別子に対応付けられているアプリケーション識別子が、第一のアプリケーションソフトウェアのものであるか、第二のアプリケーションソフトウェアのものであるかを判断することで、判断してもよい。
【０１５２】
作業指示受付部２０６が受け付けた一の作業登録情報を示す情報、例えば作業識別子、を指定する指示が、第一の作業登録情報を示す情報を指定する指示である場合に、作業画面出力部２０７が、指定された第一の作業登録情報に応じた作業に用いられる作業画面を出力する処理については、上記の作業画面出力部１０７が、指定された作業登録情報に応じた作業に用いられる作業画面を出力する処理と同様であるため、ここでは詳細な説明は省略する。
【０１５３】
作業指示受付部２０６が受け付けた一の作業登録情報を示す情報、例えば作業識別子、を指定する指示が、第二の作業登録情報を示す作業識別子を指定する指示である場合、作業画面出力部２０７は、例えば、第二のアプリケーションソフトウェアに対して、指定された作業識別子が示す第二の作業登録情報が有する画面指定情報が指定する作業画面を出力させるための指示を出力する。この指示は、例えば、指定された作業識別子を有する情報である。第二のアプリケーションソフトウェアは、この指示を受け付けると、この指示が指定する第二の作業登録情報を読み出し、読み出した第二の作業登録情報に応じた作業画面を出力する。例えば、読み出した作業登録情報が有する画面指定情報が指定する作業画面を出力する。また、第二のアプリケーションソフトウェアが起動していない場合、この第二のアプリケーションソフトウェアを起動させる指示を更に出力するようにしても良い。なお、第二のアプリケーションソフトウェアが出力する作業画面や、作業画面を作成するためのテンプレート等は、図示しない格納部等に予め蓄積しておくようにすればよい。
【０１５４】
なお、作業画面出力部２０７が、第一の作業登録情報に応じた作業画面を出力する処理や、第二のアプリケーションソフトウェアが、第二の作業登録情報に応じた作業画面を出力する処理は、上記の作業画面出力部１０７が作業登録情報に応じた作業画面を出力する処理を同様であり、ここでは詳細な説明は省略する。
【０１５５】
また、上記以外の作業画面出力部２０７の構成や処理については、上記作業画面出力部１０７と同様であり、ここでは詳細な説明は省略する。
【０１５６】
図１２は、本実施の形態における情報処理装置２の動作について説明するフローチャートである。なお、ここでは、図２と同一符号は、同一または同様の処理を示している。ただし、図２において情報処理装置１の各部が行なっている処理は、ここでは、情報処理装置２の対応する各部が行なうものとする。
【０１５７】
（ステップＳ２０５）作業出力部２０５は、作業登録情報格納部２０２に格納されている第一の作業登録情報の中から、予め指定された出力の条件を満たす第一の作業登録情報を検出する。
【０１５８】
（ステップＳ２０６）作業出力部２０５は、第二のアプリケーションソフトウェアが第二の作業登録情報を格納している格納部（図示せず）から、予め指定された出力の条件を満たす第二の作業登録情報を検出する。
【０１５９】
（ステップＳ２０７）作業出力部２０５は、ステップＳ２０５で検出した１または２以上の第一の作業登録情報の作業識別子を取得する。また、作業出力部２０５は、ステップＳ２０６で検出した１または２以上の第二の作業登録情報の作業識別子を取得する。そして取得した作業識別子を配列した作業リスト画面を出力する。なお、作業リスト画面においては、第一の作業登録情報の作業識別子（あるいはこの作業識別子が配置されたリスト項目）と、第二の作業登録情報の作業識別子（あるいはこの作業識別子が配置されたリスト項目）とは、視覚的に区別可能な態様となるよう出力する。また、第二の作業登録情報に対応する作業識別子には、第二のアプリケーションソフトウェアのアプリケーション識別子を対応づけておく。なお、第二の作業登録情報の識別子を対応づけておくようにしてもよい。また、第一の作業登録情報に対応する作業識別子に、第一の作業登録情報に対応することを示す識別子が含まれる場合や、第二の作業登録情報に対応する作業識別子に、第二の作業登録情報に対応することを示す識別子が含まれる場合には、アプリケーション識別子や第二の作業登録情報の識別子の対応付けは不要である。そして、ステップＳ１０７に進む。
【０１６０】
（ステップＳ２０８）作業指示受付部１０６が受け付けた作業指示が、第一の作業登録情報を示す情報を指定するものである場合、ステップＳ１０８に進み、指定するものでない場合、つまり、第二の作業登録情報を示す情報を指定するものである場合、ステップＳ２０９に進む。作業指示が、第一の作業登録情報を示す情報を指定するものであるか否かは、例えば、作業指示が指定する作業登録情報を示す情報、例えば、作業識別子が、第一のアプリケーションソフトウェアのアプリケーション識別子と対応付けられているか否か、あるいは、第一の作業登録情報の識別子と対応付けられているか否か等により判断可能である。
【０１６１】
（ステップＳ２０９）作業画面出力部２０７は、作業画面を出力させる指示を、第二のアプリケーションソフトウェアに対して送信する。例えば、ステップＳ１０７で受け付けた作業登録情報を示す情報を有する指示であって、この情報が示す作業登録情報に応じた作業画面を出力させる指示を、第二のアプリケーションソフトウェアに対して送信する。そして、ステップＳ１０１に戻る。
【０１６２】
以下、本実施の形態の具体例について説明する。
図１３は、第二の作業登録情報を管理する第二作業登録情報管理表である。図１３において、図７と同一の属性は、同一または相当する属性を示している。なお、「リンク」は、第二のアプリケーションソフトウェアが出力する作業画面のテンプレートへのリンク情報であるとする。
【０１６３】
ここでは、作業登録情報蓄積部２０３が、上記実施の形態の具体例と同様の処理を行なって、図７に示す作業登録情報管理表に示すような第一の作業登録情報を取得して作業登録情報格納部２０２に蓄積したものとする。また、第二のアプリケーションソフトウェアも、作業登録情報蓄積部２０３が第一の作業登録情報を取得する処理と同様の処理を行なって、図１３に示す作業登録情報管理表に示すような第二の作業登録情報を取得して第二の作業登録情報格納部（図示せず）に蓄積していたとする。
【０１６４】
出力指示受付部２０４が、上記実施の形態の具体例と同様に、「２０１５／８／２０」の「９：２５」に、ユーザＡから作業リスト画面を表示する出力指示を受け付けたとする。
【０１６５】
作業出力部２０５は、図７に示した作業登録情報管理表から、出力指示に応じて、上記の具体例と同様に、「タスク識別子」の属性値「預金科目の元帳を確認する（月末処理）」と、「期日」の属性値の日付「８／３１」との組、及び「タスク識別子」の属性値「債権債務科目の元帳を確認する」と、「期日」の属性値の日付「８／３１」との組を取得する。
【０１６６】
また、作業出力部２０５は、上記実施の形態の具体例と同様の処理を行なって、図１３に示した第二作業登録情報管理表から、出力指示に応じて、「タスク識別子」の属性値「請求先別請求書発行」と、「期日」の属性値の日付「８／３１」との組を取得する。そして、取得した組を、予め指定されたテンプレート等にリスト状に配置して、作業リスト画面を作成する。配置する際、例えば、図１３に示した第二作業登録情報管理表から取得した情報の組については、背景色を、他の組とは異なる背景色に設定する。また、この組に対応するリスト項目には、第二のアプリケーションソフトウェアのアプリケーション識別子「ｓｅｉｋｙｕ」が対応付けられる。そして、作業出力部２０５は、作成した作業リスト画面を図示しないモニタ等に表示する。
【０１６７】
図１４は、作業出力部２０５が出力する作業リスト画面１４０の表示例を示す図である。図に示すように、第二の作業登録情報を示す情報を、第一の作業登録情報を示す情報に対して視覚的に区別可能となるように出力することができる。
【０１６８】
ここで、仮に、ユーザＡがこの作業リスト画面１４０において、タスク名が、「請求先別請求書発行」で、期日が「８／３１」である行１４１を指定する操作、例えば、マウス等を用いてクリックする操作を行なったとすると、作業指示受付部２０６は、この操作に応じて作業指定を受け付け、指定された行のタスク名と日付とを取得する。作業画面出力部２０７は、この行のリスト項目に、第二のアプリケーションソフトウェアのアプリケーション識別子「ｓｅｉｋｙｕ」が対応付けられているか否かを判断する。ここでは、対応付けられているため、上記で取得したタスク名「請求先別請求書発行」と日付「８／３１」との組に対応する第二の作業登録情報に応じた作業画面を出力させるための指示を、第二のアプリケーションソフトウェアに対して送信する。
【０１６９】
第二のアプリケーションソフトウェアが、このタスク名「請求先別請求書発行」と日付「８／３１」との組を有する指示を受け付けると、図１３に示した第二の作業登録情報管理表から、「タスク名」が「請求先別請求書発行」であって、「期日」が「８／３１」を含むレコード（行）を検出する。そして、第二のアプリケーションソフトウェアは、検出されたレコードの「その他の条件」等が示す条件を満たす情報等を取得し、取得した情報を、検出したレコード「リンク」が示す場所から読み出されたテンプレートに配置して、この作業登録情報に対応する作業画面を作成し、例えばモニタ等に表示する。
【０１７０】
なお、作業指定により指定される作業リスト画面の項目（行）に、第二のアプリケーションソフトウェアのアプリケーション識別子「ｓｅｉｋｙｕ」が対応付けられていない場合、上記実施の形態の具体例と同様に、情報処理装置２が、作業指示に応じた作業登録情報を用いて作業画面を出力するようにすればよい。
【０１７１】
以上、本実施の形態においては、他のアプリケーションソフトウェアの作業登録情報を示す情報も出力して、適宜他のアプリケーションソフトウェアに作業画面を出力させることができるため、作業登録情報を適切に出力することができる。
【０１７２】
なお、上記実施の形態１において、情報処理装置が、第一のアプリケーションソフトウェアや第二のアプリケーションソフトウェアのような２以上のアプリケーションソフトウェアを実行する実行部（図示せず）を有していても良い。また、上述した情報処理装置１の構成や機能は、第一のアプリケーションソフトウェアと、第二のアプリケーションソフトウェアとがそれぞれ実現する機能とは、独立したものとして実現されてもよい。
【０１７３】
以下、このような場合の変形例について説明する。
情報処理装置１の作業指定受付部１０１は、２以上のアプリケーションソフトウェアからそれぞれ作業指定情報を受け付ける。一のアプリケーションソフトウェアから作業指定情報を受け付けるということは、例えば、一のアプリケーションソフトウェアに対して操作を行なうことで、このアプリケーションソフトウェアが出力する作業指定情報を受け付けることである。一のアプリケーションソフトウェアから受け付ける作業指定情報は、例えば、一のアプリケーションソフトウェアのアプリケーション識別子を有していても良い。
【０１７４】
作業登録情報蓄積部１０３は、作業指定受付部１０１が受け付けた各作業指定情報に応じて作業登録情報を取得し、取得した作業登録情報を作業登録情報格納部１０２に蓄積する。例えば、この作業指定情報を入力したアプリケーションソフトウェアのアプリケーション識別子を更に有する作業登録情報を蓄積する。
【０１７５】
出力指示受付部１０４は、２以上のアプリケーションソフトウエアから出力指示を受け付ける。一のアプリケーションソフトウェアから出力指示を受け付ける場合、例えば、この一のアプリケーションソフトウェアのアプリケーション識別子を出力指示とともに受け付けるようにしてもよい。
【０１７６】
作業出力部１０５は、出力指示に応じて、作業登録情報格納部１０２に格納されている１以上の作業登録情報を示す情報、例えば作業識別子を出力する。具体的には、作業出力部１０７は作業リスト画面を出力する。なお、異なるアプリケーションソフトウェアに対応する作業登録情報については、視覚的に異なる態様で作業登録情報を示す情報を出力するようにしても良い。
【０１７７】
作業指示受付部１０６は、２以上のアプリケーションソフトウェアのいずれかから、作業出力部１０５が出力した作業登録情報を示す情報のうちの一つを指定する作業指示を受け付ける。例えば、出力された作業リスト画面が有する２以上の作業識別子のうちの、一の作業識別子を指定する作業指示を受け付ける。例えば、ユーザが一のアプリケーションソフトウェアをアクティブにしている状態、つまり操作可能な状態において、このアプリケーションソフトウェアに作業リスト画面の一の作業識別子を指定する操作を行なった場合に、作業指示受付部１０６は、一のアプリケーションソフトウェアから、作業指示を受け付ける。
【０１７８】
作業画面出力部１０７は、例えば、作業指示受付部１０６が受け付けた作業指示が指定する作業識別子が示す作業登録情報が、作業指示を受け付けたアプリケーションソフトウェアの作業画面についての作業登録情報である場合、このアプリケーションソフトウェアを実行させて、作業登録情報が有する画面指定情報が指定する作業画面を出力させる。この場合の画面指定情報が指定する作業画面を出力する処理については、上記の実施の形態と同様である。
【０１７９】
作業画面出力部１０７は、作業指示受付部１０６が受け付けた作業指示が指定する作業識別子が示す作業登録情報が有するアプリケーション識別子が、作業指示を受け付けたアプリケーションソフトウェアのアプリケーション識別子でない場合、例えば、作業登録情報が有するアプリケーション識別子が示すアプリケーションソフトウェアを実行させて、画面指定情報が指定する作業画面を出力するようにしてもよい。特に、アプリケーション識別子が示すアプリケーションソフトウェアが起動していない場合においては、このアプリケーションソフトウェアを起動させて、画面指定情報が指定する作業画面を出力するようにしてもよい。
【０１８０】
以上のような構成とすることによって、実行予定がある二つのアプリケ−ションソフトウェアの作業画面をそれぞれ用いて行なわれる作業を登録することができるとともに、登録した作業を、一覧表示することができる。また、２つアプリケーションソフトウェアのいずれもが作業を登録する機能等を有していなくても、作業を登録し、登録した作業を一覧表示することができる。
【０１８１】
なお、上記各実施の形態等においては、第一のアプリケーションソフトウェアと第二のアプリケーションソフトウェアとを用いた場合について説明したが、本発明は、アプリケーションソフトウェアが３以上であっても適用できるものであり、このような場合においても上記と同様の効果を奏することができる。
【０１８２】
なお、上記各実施の形態において、各処理（各機能）は、単一の装置（システム）によって集中処理されることによって実現されてもよく、あるいは、複数の装置によって分散処理されることによって実現されてもよい。
【０１８３】
また、上記各実施の形態では、情報処理装置がスタンドアロンである場合について説明したが、情報処理装置は、スタンドアロンの装置であってもよく、サーバ・クライアントシステムにおけるサーバ装置であってもよい。後者の場合には、出力部や受付部は、通信回線を介して入力を受け付けたり、画面を出力したりすることになる。
【０１８４】
また、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。その実行時に、プログラム実行部は、格納部（例えば、ハードディスクやメモリ等の記録媒体）にアクセスしながらプログラムを実行してもよい。
【０１８５】
なお、上記各実施の形態における情報処理装置を実現するソフトウェアは、以下のようなプログラムである。つまり、このプログラムは、実行予定がある作業に関する情報である作業登録情報が格納される作業登録情報格納部にアクセス可能なコンピュータを、実行予定がある作業であって、１以上の画面を用いてそれぞれ行なわれる１以上の各作業を指定するための情報である１以上の作業指定情報を受け付ける作業指定受付部と、作業指定受付部が受け付けた各作業指定情報に応じて作業登録情報を取得し、取得した作業登録情報を作業登録情報格納部に蓄積する作業登録情報蓄積部と、作業登録情報を出力する指示である出力指示を受け付ける出力指示受付部と、出力指示に応じて、作業登録情報格納部に格納されている１以上の作業登録情報を示す情報を出力する作業出力部として機能させるためのプログラムである。
【０１８６】
また、上記プログラムにおいて、作業登録情報蓄積部は、作業指定受付部が受け付けた作業指定情報が指定する作業に用いられる画面である作業画面を指定する情報である画面指定情報を取得し、取得した画面指定情報を有する作業登録情報を作業登録情報格納部に蓄積し、作業出力部は、出力指示の受け付けに応じて、作業登録情報格納部の１以上の作業登録情報を示す情報を出力し、コンピュータを、更に、作業出力部が出力した作業登録情報を示す情報のうちの、一の作業登録情報を示す情報を指定する指示である作業指示を受け付ける作業指示受付部と、作業指示受付部が受け付けた作業指示により指定される作業登録情報が有する画面指定情報が指定する作業画面を出力する作業画面出力部として機能させるためのプログラムである。
【０１８７】
また、上記プログラムにおいて、上記プログラムは、第一のアプリケーションソフトウェアであって、作業登録情報蓄積部は、第一のアプリケーションソフトウェアを用いて行なわれる作業に関する作業登録情報である第一の作業登録情報を、作業登録情報格納部に蓄積し、作業出力部は、出力指示に応じて、作業登録情報格納部に格納された第一の作業登録情報と、第二のアプリケーションソフトウェアを用いて行なわれる作業に関する作業登録情報である第二の作業登録情報とをそれぞれ示す情報を出力するプログラムである。
【０１８８】
また、上記プログラムにおいて、上記プログラムは、第一のアプリケーションソフトウェアであって、作業登録情報蓄積部は、第一のアプリケーションソフトウェアを用いて行なわれる作業に関する作業登録情報である第一の作業登録情報を、作業登録情報格納部に蓄積し、作業出力部は、出力指示に応じて、作業登録情報格納部に格納された第一の作業登録情報を示す情報と、第二のアプリケーションソフトウェアを用いて行なわれる作業に関する作業登録情報である第二の作業登録情報を示す情報とを出力し、作業画面出力部は、作業指示受付部が受け付けた作業指示により指定される作業登録情報が第二の作業登録情報である場合に、第二のアプリケーションソフトウェアを実行させて、作業識別子が示す第二の作業登録情報が有する画面指定情報が指定する作業画面を出力させるプログラムである。
【０１８９】
なお、上記プログラムにおいて、上記プログラムが実現する機能には、ハードウェアでしか実現できない機能は含まれない。例えば、情報を取得する取得部や、情報を出力する出力部などにおけるモデムやインターフェースカードなどのハードウェアでしか実現できない機能は、上記プログラムが実現する機能には含まれない。
【０１９０】
また、このプログラムを実行するコンピュータは、単数であってもよく、複数であってもよい。すなわち、集中処理を行ってもよく、あるいは分散処理を行ってもよい。
【０１９１】
図１５は、上記プログラムを実行して、上記実施の形態による情報処理装置を実現するコンピュータの外観の一例を示す模式図である。上記実施の形態は、コンピュータハードウェア及びその上で実行されるコンピュータプログラムによって実現されうる。
【０１９２】
図１５において、コンピュータシステム９００は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０５を含むコンピュータ９０１と、キーボード９０２と、マウス９０３と、モニタ９０４とを備える。
【０１９３】
図１６は、コンピュータシステム９００の内部構成を示す図である。図１６において、コンピュータ９０１は、ＣＤ−ＲＯＭドライブ９０５に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ（Ｒａｎｄｏｍ  Ａｃｃｅｓｓ  Ｍｅｍｏｒｙ）９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、ＬＡＮへの接続を提供する図示しないネットワークカードを含んでいてもよい。
【０１９４】
コンピュータシステム９００に、上記実施の形態による情報処理装置等の機能を実行させるプログラムは、ＣＤ−ＲＯＭ９２１に記憶されて、ＣＤ−ＲＯＭドライブ９０５に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１、またはネットワークから直接、ロードされてもよい。
【０１９５】
プログラムは、コンピュータ９０１に、上記実施の形態による情報処理装置の機能を実行させるオペレーティングシステム（ＯＳ）、またはサードパーティプログラム等を必ずしも含んでいなくてもよい。プログラムは、制御された態様で適切な機能（モジュール）を呼び出し、所望の結果が得られるようにする命令の部分のみを含んでいてもよい。コンピュータシステム９００がどのように動作するのかについては周知であり、詳細な説明は省略する。
【０１９６】
本発明は、以上の実施の形態に限定されることなく、種々の変更が可能であり、それらも本発明の範囲内に包含されるものであることは言うまでもない。
【産業上の利用可能性】
【０１９７】
以上のように、本発明にかかる情報処理装置等は、作業が登録可能な装置として適しており、特に、画面を用いた作業を登録可能な装置等として有用である。
【符号の説明】
【０１９８】
１、２  情報処理装置
１０１、２０１  作業指定受付部
１０２、２０２  作業登録情報格納部
１０３、２０３  作業登録情報蓄積部
１０４、２０４  出力指示受付部
１０５、２０５  作業出力部
１０６、２０６  作業指示受付部
１０７、２０７  作業画面出力部
【図１】
0006656876.tif 000002
【図２】
0006656876.tif 000003
【図３】
0006656876.tif 000004
【図４】
0006656876.tif 000005
【図５】
0006656876.tif 000006
【図６】
0006656876.tif 000007
【図７】
0006656876.tif 000008
【図８】
0006656876.tif 000009
【図９】
0006656876.tif 000010
【図１０】
0006656876.tif 000011
【図１１】
0006656876.tif 000012
【図１２】
0006656876.tif 000013
【図１３】
0006656876.tif 000014
【図１４】
0006656876.tif 000015
【図１５】
0006656876.tif 000016
【図１６】
0006656876.tif 000017